(57)【要約】【課題】確実に取付けが行われ容易に取外しが行われる光トランシーバモジュールを提供する。【解決手段】電気信号を光信号に変換して出力する送信部材と、入力された光信号を電気信号に変換して出力する受信部材と、送信部材と受信部材とを収納するハウジング４０とを有する光トランシーバモジュール１００に関する。ハウジング４０に設けられ相手側係合部に係り合わせられる係止部４７と、係止部４７に対して近づけられる方向（Ｓ方向）または遠ざけられる方向（Ｔ方向）に移動可能なアクチュエータ主体部材６０とを備え、アクチュエータ主体部材６０が押動させられることにより、係止部４７に近づけられる方向（Ｓ方向）にアクチュエータ主体部材６０が移動させられて、係止部４７に係り合わせられた相手側係合部の係止解除が行われることによって、相手側のものから光トランシーバモジュール１００を容易に取り外すことができる。【選択図】図２
2008090148.tif 000002
【特許請求の範囲】
【請求項１】
電気信号を光信号に変換して出力する送信部材と、入力された光信号を電気信号に変換して出力する受信部材と、前記送信部材と前記受信部材とを収納するハウジングと、を有する光トランシーバモジュールであって、
前記ハウジングに設けられ相手側係合部に係り合わせられる係止部と、
前記係止部に対して近づけられる方向または遠ざけられる方向に移動可能なアクチュエータ主体部材と、を備え、
前記アクチュエータ主体部材が押動させられることにより、前記係止部に近づけられる方向に前記アクチュエータ主体部材が移動させられて、前記係止部に係り合わせられた前記相手側係合部の係止解除が行われることを特徴とする光トランシーバモジュール。
【請求項２】
請求項１に記載の光トランシーバモジュールであって、
前記アクチュエータ主体部材に、前記相手側係合部と前記係止部との係止を解除させる係止解除部が設けられ、
前記係止部に前記アクチュエータ主体部材が近づけられて、前記係止解除部が前記相手側係合部に接することにより、前記係止部における係止解除が行われることを特徴とする光トランシーバモジュール。
【請求項３】
請求項２に記載の光トランシーバモジュールであって、
前記係止解除部に、前記ハウジングの周面部に対して斜めに形成された斜面部が設けられ、前記斜面部は、前記係止部に向けられたことを特徴とする光トランシーバモジュール。
【請求項４】
請求項２又は３に記載の光トランシーバモジュールであって、
前記アクチュエータ主体部材が前記係止部に対して近づけられる方向に移動させられたときに、前記係止解除部が前記係止部に干渉することを回避させる干渉回避部が、前記係止解除部に設けられたことを特徴とする光トランシーバモジュール。
【請求項５】
請求項１〜４の何れか１項に記載の光トランシーバモジュールであって、
治工具が用いられて、前記アクチュエータ主体部材が前記係止部に向けて押動させられて、前記係止部の係止解除が行われるときに、前記治工具が合わせられる治工具操作部が、前記アクチュエータ主体部材に設けられたことを特徴とする光トランシーバモジュール。
【請求項６】
請求項５に記載の光トランシーバモジュールであって、
前記治工具操作部は、前記治工具に対応した窪み状に形成されたことを特徴とする光トランシーバモジュール。
【請求項７】
請求項１〜６の何れか１項に記載の光トランシーバモジュールであって、
前記ハウジングに略Ｔみぞ状スライド摺動部が設けられ、
前記スライド摺動部に対応して、前記アクチュエータ主体部材に略Ｔみぞナット状スライド摺動部が設けられ、
前記略Ｔみぞ状スライド摺動部に前記略Ｔみぞナット状スライド摺動部が嵌め合わせられて、前記ハウジングに前記アクチュエータ主体部材がスライド可能に装着されたことを特徴とする光トランシーバモジュール。
【請求項８】
請求項１〜７の何れか１項に記載の光トランシーバモジュールであって、
前記アクチュエータ主体部材に、前記相手側係合部と前記係止部との係止を解除させる係止解除部が凸設され、
前記アクチュエータ主体部材が前記係止部に対して近づけられる方向に移動させられたときに、前記係止解除部が前記ハウジングに干渉することを回避させる受入部が、前記ハウジングに凹設されたことを特徴とする光トランシーバモジュール。
【請求項９】
請求項８に記載の光トランシーバモジュールであって、
前記アクチュエータ主体部材が前記係止部に対して近づけられる方向に移動させられて、前記係止部に係り合わせられた前記相手側係合部の係止解除が行われるときに、前記係止解除部の先端部と前記受入部の奥端部とに間隔がもたされた状態で前記係止解除が行われることを特徴とする光トランシーバモジュール。
【請求項１０】
請求項１〜９の何れか１項に記載の光トランシーバモジュールであって、
前記アクチュエータ主体部材は、光トランシーバモジュール本体を構成する前記ハウジングに移動可能に装備され、
前記アクチュエータ主体部材が押圧されて、前記光トランシーバモジュール本体に対応した光トランシーバソケットに、前記アクチュエータ主体部材を備えた前記光トランシーバモジュール本体が取り付けられるときに、前記アクチュエータ主体部材が前記係止部に近づけられて、前記光トランシーバソケットに設けられた前記相手側係合部に係り合わせられつつある前記係止部が、前記相手側係合部から外されようとすることを防ぐガード部が、前記ハウジングに設けられたことを特徴とする光トランシーバモジュール。
【請求項１１】
請求項１０に記載の光トランシーバモジュールであって、
前記光トランシーバソケットに前記アクチュエータ主体部材を備えた前記光トランシーバモジュール本体が取り付けられるときに、前記光トランシーバソケットに前記光トランシーバモジュール本体を押入させ易くする押圧面部が、前記アクチュエータ主体部材に設けられ、
前記押圧面部に対応して、前記アクチュエータ主体部材が前記係止部に近づけられることを防止させるための係止解除防止面部が、前記ガード部に設けられ、
前記押圧面部および前記係止解除防止面部が略一致した状態で、前記押圧面部および前記係止解除防止面部に押圧力が加えられることにより、前記光トランシーバソケットに、前記アクチュエータ主体部材を備える前記光トランシーバモジュール本体が取り付けられることを特徴とする光トランシーバモジュール。
【請求項１２】
請求項１〜１１の何れか１項に記載の光トランシーバモジュールであって、
前記ハウジングに対して回動可能に係止されたレバーをさらに備え、
前記レバーと、前記アクチュエータ主体部材とが連係されて、
前記レバーが回動させられるときの回動動作と、前記アクチュエータ主体部材が前記係止部に対して近づけられる方向または遠ざけられる方向に移動させられる直進動作とが、連動することを特徴とする光トランシーバモジュール。
【請求項１３】
請求項１２に記載の光トランシーバモジュールであって、
前記レバーに、回動支点部が設けられ、
前記回動支点部に対応して、前記ハウジングに、前記レバーを回動可能に支持する支点部が設けられ、
前記支点部に前記回動支点部が合わせられて、前記ハウジングに前記レバーが回動可能に装着されたことを特徴とする光トランシーバモジュール。
【請求項１４】
請求項１２又は１３に記載の光トランシーバモジュールであって、
前記アクチュエータ主体部材を移動可能とさせる駆動力作用部が前記レバーに設けられ、
前記駆動力作用部に対応した駆動力伝達部が前記アクチュエータ主体部材に設けられたことを特徴とする光トランシーバモジュール。
【請求項１５】
請求項１４に記載の光トランシーバモジュールであって、
前記駆動力作用部は、
前記係止部に前記アクチュエータ主体部材を近づかせる方向に押動可能な係止解除用押圧部と、
前記係止部から前記アクチュエータ主体部材を遠ざける方向に押動可能な定位置復帰用押圧部と、を備え、
前記駆動力伝達部は、
前記係止解除用押圧部が摺接される係止解除用押圧壁と、
前記定位置復帰用押圧部が摺接される定位置復帰用押圧壁と、を備えることを特徴とする光トランシーバモジュール。
【請求項１６】
請求項１５に記載の光トランシーバモジュールであって、
前記係止解除用押圧部は、曲面状に形成され、
前記定位置復帰用押圧部は、曲面状に形成されたことを特徴とする光トランシーバモジュール。
【請求項１７】
請求項１４〜１６の何れか１項に記載の光トランシーバモジュールであって、
前記レバーの回動を停止させる回動停止部が前記ハウジングに設けられ、
前記駆動力作用部が前記回動停止部に接することにより、前記レバーの回動操作が停止することを特徴とする光トランシーバモジュール。
【請求項１８】
請求項１４〜１７の何れか１項に記載の光トランシーバモジュールであって、
前記駆動力作用部は略凸状に形成され、
前記駆動力作用部に対応して、前記駆動力伝達部は略凹状に形成され、
略凸状の前記駆動力作用部は、略凹状の前記駆動力伝達部に対して隙間がもたされた状態で、略凹状の前記駆動力伝達部に合わせられたことを特徴とする光トランシーバモジュール。
【請求項１９】
請求項１４〜１８の何れか１項に記載の光トランシーバモジュールであって、
前記駆動力作用部は略凸状に形成され、
前記駆動力作用部に対応して、前記駆動力伝達部は略凹状に形成され、
前記駆動力伝達部に前記駆動力作用部が可動状態で合わせられて、前記駆動力伝達部から前記駆動力作用部が外されることなく、前記アクチュエータ主体部材と、前記レバーとが、前記ハウジングに可動状態で装着されたことを特徴とする光トランシーバモジュール。
【請求項２０】
請求項１２〜１９の何れか１項に記載の光トランシーバモジュールであって、
前記レバーを小さい力で回動操作可能な操作力点部が前記レバーに設けられたことを特徴とする光トランシーバモジュール。
【請求項２１】
請求項１２〜２０の何れか１項に記載の光トランシーバモジュールであって、
前記レバーは、
前記レバーを回動操作可能な操作力点部と、
前記レバーの回動中心軸とされる回動支点部と、
前記アクチュエータ主体部材を駆動させる駆動力作用部と、を備え、
前記操作力点部と前記駆動力作用部との間に前記回動支点部が形成されると共に、
前記駆動力作用部の近傍に前記回動支点部が位置することを特徴とする光トランシーバモジュール。
【請求項２２】
請求項１２〜２１の何れか１項に記載の光トランシーバモジュールであって、
前記レバーは、
基板部と、
前記基板部に対し略直交する方向に沿って前記基板部に延設された一対の側板部と、を備え、
前記レバーの前記基板部が操作されて、略水平方向に延設された前記ハウジングに対し前記レバーが回動させられて、前記レバーの前記基板部が略垂直状態のときに、前記アクチュエータ主体部材は、前記係止部に近づけられ、
前記レバーの前記基板部が操作されて、略水平方向に延設された前記ハウジングに対し前記レバーが回動させられて、前記レバーの前記基板部が略水平状態のときに、前記アクチュエータ主体部材は、前記係止部から遠ざけられることを特徴とする光トランシーバモジュール。
【請求項２３】
請求項１２〜２２の何れか１項に記載の光トランシーバモジュールであって、
光信号が通される光ケーブルのコネクタ部が挿着可能なコネクタソケット部が、前記ハウジングに開設され、
前記アクチュエータ主体部材が前記係止部に近づけられたときに、前記コネクタソケット部の開口部は、前記レバーにより遮られることを特徴とする光トランシーバモジュール。
【請求項２４】
請求項２３に記載の光トランシーバモジュールであって、
前記ハウジングは、略矩形箱状に形成され、
前記ハウジングに対応して、前記レバーは、
基板部と、
前記基板部に対し略直交する方向に沿って前記基板部に延設された一対の側板部と、を備え、
前記アクチュエータ主体部材が前記係止部に近づけられたときに、前記レバーは、一対の前記側板部の回動支点部を中心として回動させられて、前記開口部は、前記基板部により遮られることを特徴とする光トランシーバモジュール。
【請求項２５】
請求項１２〜２４の何れか１項に記載の光トランシーバモジュールであって、
前記レバーは、前記ハウジングにおける互いに対向する第１及び第２の側面部において前記ハウジングに対して回動可能に係止されると共に、前記ハウジングの前記第１の側面部、上面部、前記第２の側面部に跨って設けられ、
前記アクチュエータ主体部材は、前記レバーの一部と係合するように前記ハウジングの下面部に対して摺動可能に装着されたことを特徴とする光トランシーバモジュール。
【発明の詳細な説明】
【技術分野】
【０００１】
本発明は、例えば光ケーブル等によって通信などに用いられる光トランシーバモジュールに関する。
【背景技術】
【０００２】
入力側光ファイバ及び出力側光ファイバを外部から接続するコネクタを備える光トランシーバモジュールが用いられている。光トランシーバモジュールは、入力側光ファイバから入力される光を受信して電気信号に変換する受信部材、変換回路で得られた電気信号を出力する出力コネクタ、及び、外部から電気信号を受信して光信号に変換する送信部材を含んで構成される。受信部材および送信部材は、増幅器等の信号処理回路を含んでもよい。光トランシーバモジュールは、光トランシーバソケットに装着されて使用される。光トランシーバソケットは、プリント基板上等に固定されている。また、光トランシーバソケットは、プリント基板上等に配置され外部回路に接続されたコネクタを備える。光トランシーバモジュールが光トランシーバソケットに装着された際に、光トランシーバモジュールに設けられている入力コネクタ及び出力コネクタは、光トランシーバソケットのコネクタと嵌合され、光トランシーバモジュールと外部回路との間で電気信号が通信される。
【発明の開示】
【発明が解決しようとする課題】
【０００３】
上記のような光トランシーバモジュールを用いる場合、光トランシーバモジュールの入力コネクタ及び出力コネクタと、光トランシーバソケットのコネクタとが、確実に接続される構造とすることが必要である。一方、光トランシーバモジュールの交換時等では、光トランシーバソケットに装着されている光トランシーバモジュールを容易に取り外すことができる構造であることも必要である。
【０００４】
本発明は、上記課題を鑑み、確実に取付けが行われ容易に取外しが行われる光トランシーバモジュールを提供することを目的とする。
【課題を解決するための手段】
【０００５】
上記目的を達成するために、本発明の請求項１に係る光トランシーバモジュールは、電気信号を光信号に変換して出力する送信部材と、入力された光信号を電気信号に変換して出力する受信部材と、前記送信部材と前記受信部材とを収納するハウジングと、を有する光トランシーバモジュールであって、前記ハウジングに設けられ相手側係合部に係り合わせられる係止部と、前記係止部に対して近づけられる方向または遠ざけられる方向に移動可能なアクチュエータ主体部材と、を備え、前記アクチュエータ主体部材が押動させられることにより、前記係止部に近づけられる方向に前記アクチュエータ主体部材が移動させられて、前記係止部に係り合わせられた前記相手側係合部の係止解除が行われることを特徴とする。
【０００６】
上記構成により、光トランシーバモジュールの係止部における係止解除が容易に行われる。相手側係合部に係り合わせられたハウジングの係止部に対し、遠ざけられていたアクチュエータ主体部材を、ハウジングの係止部に近づける方向に押動させることにより、ハウジングの係止部に係り合わせられていた相手側係合部の係止解除が容易に行われる。ハウジングの係止部に係り合わせられていた相手側係合部が、ハウジングの係止部から容易に外されるので、相手側のものから光トランシーバモジュールを容易に取り外すことができる。
【０００７】
請求項２に係る光トランシーバモジュールは、請求項１に記載の光トランシーバモジュールであって、前記アクチュエータ主体部材に、前記相手側係合部と前記係止部との係止を解除させる係止解除部が設けられ、前記係止部に前記アクチュエータ主体部材が近づけられて、前記係止解除部が前記相手側係合部に接することにより、前記係止部における係止解除が行われることを特徴とする。
【０００８】
上記構成により、光トランシーバモジュールの係止部に係り合わせられた相手側係合部の係止解除は、容易に実行可能となる。ハウジングの係止部にアクチュエータ主体部材を近づけ、アクチュエータ主体部材の係止解除部が相手側係合部に接すると、ハウジングの係止部から相手側係合部が外される。従って、相手側のものに対する光トランシーバモジュールの係止解除を容易に行うことができる。
【０００９】
請求項３に係る光トランシーバモジュールは、請求項２に記載の光トランシーバモジュールであって、前記係止解除部に、前記ハウジングの周面部に対して斜めに形成された斜面部が設けられ、前記斜面部は、前記係止部に向けられたことを特徴とする。
【００１０】
上記構成により、光トランシーバモジュールの係止部に係り合わせられた相手側係合部は、光トランシーバモジュールの係止部から容易かつ確実に外される。アクチュエータ主体部材がハウジングの係止部に近づけられたときに、アクチュエータ主体部材の係止解除部に設けられた斜面部が、相手側係合部を押し退ける。係止解除部の傾斜面によって、光トランシーバモジュールの係止部に係り合わせられた相手側係合部が押し退けられることにより、光トランシーバモジュールの係止部から相手側係合部が外される。従って、相手側のものから光トランシーバモジュールを容易に係止解除させることができる。
【００１１】
請求項４に係る光トランシーバモジュールは、請求項２又は３に記載の光トランシーバモジュールであって、前記アクチュエータ主体部材が前記係止部に対して近づけられる方向に移動させられたときに、前記係止解除部が前記係止部に干渉することを回避させる干渉回避部が、前記係止解除部に設けられたことを特徴とする。
【００１２】
上記構成により、光トランシーバモジュールの係止部に係り合わせられた相手側係合部は、光トランシーバモジュールの係止部から容易かつ確実に外される。アクチュエータ主体部材がハウジングの係止部に近づけられたときに、アクチュエータ主体部材の係止解除部に設けられた干渉回避部にハウジングの係止部が位置する所まで、ハウジングの係止部にアクチュエータ主体部材が近づけられたときに、アクチュエータ主体部材の係止解除部により、相手側係合部から光トランシーバモジュールの係止部が確実に外される。従って、相手側のものに対する光トランシーバモジュールの係止解除を容易かつ確実に行うことができる。
【００１３】
請求項５に係る光トランシーバモジュールは、請求項１〜４の何れか１項に記載の光トランシーバモジュールであって、治工具が用いられて、前記アクチュエータ主体部材が前記係止部に向けて押動させられて、前記係止部の係止解除が行われるときに、前記治工具が合わせられる治工具操作部が、前記アクチュエータ主体部材に設けられたことを特徴とする。
【００１４】
上記構成により、相手側のものに取り付けられた光トランシーバモジュールの周辺に、十分な空間が確保されていない場合でも、光トランシーバモジュールは、相手側のものから容易に係止解除されて取り外される。光トランシーバモジュールが取り付けられた相手側のものの周辺に十分な空間が確保されていないと、相手側のものから光トランシーバモジュールを取り外すときの作業は、行われ難くなることがある。このような場合に、アクチュエータ主体部材の治工具操作部に治工具を合わせ、治工具を押すことにより、治工具が合わせられたアクチュエータ主体部材は、係止部に向けて押動させられる。これに伴って、光トランシーバモジュールの係止部と、相手側係合部との係止状態が解除される。光トランシーバモジュールの係止部から相手側係合部が外されるので、相手側のものから光トランシーバモジュールを抜去させることが可能となる。従って、相手側のものに取り付けられた光トランシーバモジュールの周辺に、十分な空間が確保されていない場合でも、光トランシーバモジュールの係止部と相手側係合部との係止解除を容易に行って、光トランシーバモジュールを相手側のものから容易に取り外すことができる。
【００１５】
請求項６に係る光トランシーバモジュールは、請求項５に記載の光トランシーバモジュールであって、前記治工具操作部は、前記治工具に対応した窪み状に形成されたことを特徴とする。
【００１６】
上記構成により、相手側のものに取り付けられた光トランシーバモジュールの周辺に、十分な空間が確保されていない場合でも、光トランシーバモジュールは、相手側のものから容易かつ確実に係止解除されて取り外される。治工具を用いて、光トランシーバモジュールの係止部に係り合わせられた相手側係合部の係止解除を行うときに、アクチュエータ主体部材に設けられた窪み状の治工具操作部に治工具を合わせて治工具を押すことにより、アクチュエータ主体部材の治工具操作部から治工具が不用意に外されるということは回避される。従って、相手側のものから光トランシーバモジュールを取り外すときに、光トランシーバモジュールの係止解除を容易かつ確実に行うことができる。
【００１７】
請求項７に係る光トランシーバモジュールは、請求項１〜６の何れか１項に記載の光トランシーバモジュールであって、前記ハウジングに略Ｔみぞ状スライド摺動部が設けられ、前記スライド摺動部に対応して、前記アクチュエータ主体部材に略Ｔみぞナット状スライド摺動部が設けられ、前記略Ｔみぞ状スライド摺動部に前記略Ｔみぞナット状スライド摺動部が嵌め合わせられて、前記ハウジングに前記アクチュエータ主体部材がスライド可能に装着されたことを特徴とする。
【００１８】
上記構成により、アクチュエータ主体部材は、ハウジングに対し、スムーズにスライド移動可能な状態で装着される。ハウジングの略Ｔみぞ状スライド摺動部に、アクチュエータ主体部材の略Ｔみぞナット状スライド摺動部が嵌め合わせられていれば、アクチュエータ主体部材は、ハウジングの係止部に対して、スムーズに近づけられたり遠ざけられたりされる。従って、相手側のものに対する光トランシーバモジュールの係止解除を、容易でスムーズに行うことができる。
【００１９】
請求項８に係る光トランシーバモジュールは、請求項１〜７の何れか１項に記載の光トランシーバモジュールであって、前記アクチュエータ主体部材に、前記相手側係合部と前記係止部との係止を解除させる係止解除部が凸設され、前記アクチュエータ主体部材が前記係止部に対して近づけられる方向に移動させられたときに、前記係止解除部が前記ハウジングに干渉することを回避させる受入部が、前記ハウジングに凹設されたことを特徴とする。
【００２０】
上記構成により、光トランシーバモジュールの係止部に係り合わせられた相手側係合部は、光トランシーバモジュールの係止部から容易かつ確実に外される。アクチュエータ主体部材がハウジングの係止部に近づけられたときに、アクチュエータ主体部材に凸設された係止解除部が、ハウジングに凹設された受入部に位置する所まで、ハウジングの係止部にアクチュエータ主体部材が近づけられたときに、アクチュエータ主体部材の係止解除部により、相手側係合部から光トランシーバモジュールの係止部が確実に外される。従って、相手側のものに対する光トランシーバモジュールの係止解除を容易かつ確実に行うことができる。
【００２１】
請求項９に係る光トランシーバモジュールは、請求項８に記載の光トランシーバモジュールであって、前記アクチュエータ主体部材が前記係止部に対して近づけられる方向に移動させられて、前記係止部に係り合わせられた前記相手側係合部の係止解除が行われるときに、前記係止解除部の先端部と前記受入部の奥端部とに間隔がもたされた状態で前記係止解除が行われることを特徴とする。
【００２２】
上記構成により、ハウジングの係止部から相手側係合部が外されるときの係止解除は、確実に行われる。係止解除が行われるときに、例えば、ハウジングに設けられた受入部の奥端部に、アクチュエータ主体部材の係止解除部の先端部が当接される場合、ハウジングの係止部にアクチュエータ主体部材が十分に近づけられず、これが原因で、係止解除が確実に行われない可能性がある。ハウジングの係止部から相手側係合部が係止解除されるときに、アクチュエータ主体部材の係止解除部の先端部と、ハウジングに設けられた受入部の奥端部とに間隔がもたされることにより、ハウジングの係止部に対する相手側係合部の係止解除は、確実に行われる。
【００２３】
請求項１０に係る光トランシーバモジュールは、請求項１〜９の何れか１項に記載の光トランシーバモジュールであって、前記アクチュエータ主体部材は、光トランシーバモジュール本体を構成する前記ハウジングに移動可能に装備され、前記アクチュエータ主体部材が押圧されて、前記光トランシーバモジュール本体に対応した光トランシーバソケットに、前記アクチュエータ主体部材を備えた前記光トランシーバモジュール本体が取り付けられるときに、前記アクチュエータ主体部材が前記係止部に近づけられて、前記光トランシーバソケットに設けられた前記相手側係合部に係り合わせられつつある前記係止部が、前記相手側係合部から外されようとすることを防ぐガード部が、前記ハウジングに設けられたことを特徴とする。
【００２４】
上記構成により、光トランシーバモジュールを構成する光トランシーバモジュール本体は、光トランシーバソケットに確実に取り付けられる。光トランシーバソケットに、アクチュエータ主体部材を備えた光トランシーバモジュール本体が取り付けられるときに、アクチュエータ主体部材が押圧されて、光トランシーバソケットに光トランシーバモジュール本体が取り付けられる。光トランシーバモジュールが光トランシーバソケットに取り付けられるときに、アクチュエータ主体部材が押圧されると、光トランシーバソケットに設けられた相手側係合部に係り合わせられつつある係止部は、相手側係合部から外されようとする。これを防ぐためのガード部がハウジングに設けられているので、光トランシーバモジュールが光トランシーバソケットに取り付けられるときに、不用意に係止解除が行われ、その結果、光トランシーバソケットに対する光トランシーバモジュールの取付不良が生じるという不具合の発生は回避される。従って、光トランシーバソケットに光トランシーバモジュールを確実に取り付けることができる。
【００２５】
請求項１１に係る光トランシーバモジュールは、請求項１０に記載の光トランシーバモジュールであって、前記光トランシーバソケットに前記アクチュエータ主体部材を備えた前記光トランシーバモジュール本体が取り付けられるときに、前記光トランシーバソケットに前記光トランシーバモジュール本体を押入させ易くする押圧面部が、前記アクチュエータ主体部材に設けられ、前記押圧面部に対応して、前記アクチュエータ主体部材が前記係止部に近づけられることを防止させるための係止解除防止面部が、前記ガード部に設けられ、前記押圧面部および前記係止解除防止面部が略一致した状態で、前記押圧面部および前記係止解除防止面部に押圧力が加えられることにより、前記光トランシーバソケットに、前記アクチュエータ主体部材を備える前記光トランシーバモジュール本体が取り付けられることを特徴とする。
【００２６】
上記構成により、光トランシーバモジュールを構成する光トランシーバモジュール本体は、光トランシーバソケットに容易かつ確実に取り付けられる。アクチュエータ主体部材の押圧面部とハウジングのガード部の係止解除防止面部とを略一致させた状態で、アクチュエータ主体部材を備える光トランシーバモジュール本体を光トランシーバソケットに押入させることにより、光トランシーバソケットに対する光トランシーバモジュールの取付を容易に行うことができる。また、アクチュエータ主体部材の押圧面部とハウジングのガード部の係止解除防止面部とを略一致させた状態で、アクチュエータ主体部材を備える光トランシーバモジュール本体を光トランシーバソケットに押入させることにより、光トランシーバソケットの相手側係合部に係り合わせられつつある光トランシーバモジュール本体の係止部が、光トランシーバソケットの相手側係合部から外されようとされることは回避され、光トランシーバモジュールは、光トランシーバソケットに確実に係り合わせられつつ取り付けられる。従って、光トランシーバソケットに光トランシーバモジュールを容易かつ確実に取り付けることができる。
【００２７】
請求項１２に係る光トランシーバモジュールは、請求項１〜１１の何れか１項に記載の光トランシーバモジュールであって、前記ハウジングに対して回動可能に係止されたレバーをさらに備え、前記レバーと、前記アクチュエータ主体部材とが連係されて、前記レバーが回動させられるときの回動動作と、前記アクチュエータ主体部材が前記係止部に対して近づけられる方向または遠ざけられる方向に移動させられる直進動作とが、連動することを特徴とする。
【００２８】
上記構成により、光トランシーバモジュールの係止部に係り合わせられた相手側係合部の係止解除は、容易に行われる。相手側のものに取り付けられた光トランシーバモジュールの係止解除が行われるときに、光トランシーバモジュールのレバーが回動させられることにより、光トランシーバモジュールの係止解除は容易に行われる。レバーと、アクチュエータ主体部材とが連係されているので、光トランシーバモジュールのレバーを係止解除回転方向に沿って回動させると、光トランシーバモジュールのアクチュエータ主体部材がハウジングの係止部に近づけられ、光トランシーバモジュールの係止部に係り合わせられた相手側係合部の係止解除が容易に行われる。光トランシーバモジュールの係止部から相手側係合部が容易に係止解除されるので、相手側のものから光トランシーバモジュールを容易に取り外すことができる。
【００２９】
請求項１３に係る光トランシーバモジュールは、請求項１２に記載の光トランシーバモジュールであって、前記レバーに、回動支点部が設けられ、前記回動支点部に対応して、前記ハウジングに、前記レバーを回動可能に支持する支点部が設けられ、前記支点部に前記回動支点部が合わせられて、前記ハウジングに前記レバーが回動可能に装着されたことを特徴とする。
【００３０】
上記構成により、レバーは、ハウジングに回動自在な状態で装着される。ハウジングにレバーが回動自在な状態で装着されているので、ハウジングに対するレバーの回動動作は容易に行われる。レバーの回動動作が容易に実行可能とされているので、ハウジングに対しレバーが回動されると、レバーに連係したアクチュエータ主体部材も容易に動かされ、アクチュエータ主体部材により、ハウジングの係止部に係り合わせられた相手側係合部は、ハウジングの係止部から容易に外される。従って、相手側のものから光トランシーバモジュールを容易に取り外すことができる。
【００３１】
請求項１４に係る光トランシーバモジュールは、請求項１２又は１３に記載の光トランシーバモジュールであって、前記アクチュエータ主体部材を移動可能とさせる駆動力作用部が前記レバーに設けられ、前記駆動力作用部に対応した駆動力伝達部が前記アクチュエータ主体部材に設けられたことを特徴とする。
【００３２】
上記構成により、光トランシーバモジュールのレバーを回動させると、相手側のものに係止された光トランシーバモジュールは、相手側のものから容易かつ確実に係止解除されて取外し可能な状態となる。ハウジングに対してレバーが回動されたときに、レバーの駆動力作用部が、アクチュエータ主体部材の駆動力伝達部を押動することにより、アクチュエータ主体部材は、確実に直進移動する。アクチュエータ主体部材が確実に直進移動することにより、アクチュエータ主体部材がハウジングの係止部に近づけられ、ハウジングの係止部に係り合わせられていた相手側係合部は、アクチュエータ主体部材によりハウジングの係止部から確実に外される。従って、相手側のものから光トランシーバモジュールを容易かつ確実に取り外すことができる。
【００３３】
請求項１５に係る光トランシーバモジュールは、請求項１４に記載の光トランシーバモジュールであって、前記駆動力作用部は、前記係止部に前記アクチュエータ主体部材を近づかせる方向に押動可能な係止解除用押圧部と、前記係止部から前記アクチュエータ主体部材を遠ざける方向に押動可能な定位置復帰用押圧部と、を備え、前記駆動力伝達部は、前記係止解除用押圧部が摺接される係止解除用押圧壁と、前記定位置復帰用押圧部が摺接される定位置復帰用押圧壁と、を備えることを特徴とする。
【００３４】
上記構成により、レバーが回動されると、アクチュエータ主体部材は確実に直進する。ハウジングに対してレバーが回動されたときに、レバーの駆動力作用部の係止解除用押圧部が、アクチュエータ主体部材の係止解除用押圧壁を摺接しつつアクチュエータ主体部材の係止解除用押圧壁を押圧することにより、アクチュエータ主体部材が直進移動し、ハウジングの係止部にアクチュエータ主体部材が近づけられて、光トランシーバモジュールの係止部に係り合わせられた相手側係合部の係止解除が行われる。また、ハウジングに対してレバーが回動されたときに、レバーの駆動力作用部の定位置復帰用押圧部が、アクチュエータ主体部材の定位置復帰用押圧壁を摺接しつつアクチュエータ主体部材の定位置復帰用押圧壁を押圧することにより、アクチュエータ主体部材が直進移動し、ハウジングの係止部からアクチュエータ主体部材が遠ざけられて、光トランシーバモジュールの通常使用状態の位置にアクチュエータ主体部材が動かされる。レバーが回動されることに伴って、アクチュエータ主体部材がスムーズに直進移動させられることにより、相手側のものに対する光トランシーバモジュールの着脱を容易かつ確実に行うことができる。
【００３５】
請求項１６に係る光トランシーバモジュールは、請求項１５に記載の光トランシーバモジュールであって、前記係止解除用押圧部は、曲面状に形成され、前記定位置復帰用押圧部は、曲面状に形成されたことを特徴とする。
【００３６】
上記構成により、レバーが回動させられたときに、レバーに連係するアクチュエータ主体部材は、スムーズに直進移動させられる。レバーに設けられた駆動力作用部の係止解除用押圧部が曲面状に形成されていれば、ハウジングに対してレバーが回動されたときに、レバーの駆動力作用部の曲面状をした係止解除用押圧部は、アクチュエータ主体部材の係止解除用押圧壁を滑らかに摺接しつつ、アクチュエータ主体部材の係止解除用押圧壁をスムーズに押圧する。また、レバーに設けられた駆動力作用部の定位置復帰用押圧部が曲面状に形成されていれば、ハウジングに対してレバーが回動されたときに、レバーの駆動力作用部の曲面状をした定位置復帰用押圧部は、アクチュエータ主体部材の定位置復帰用押圧壁を滑らかに摺接しつつ、アクチュエータ主体部材の定位置復帰用押圧壁をスムーズに押圧する。レバーを回動させたときに、レバーに連係するアクチュエータ主体部材をスムーズに直進移動させることができるので、相手側のものに対する光トランシーバモジュールの係止解除を、容易で確実にフィーリングよく行うことができる。
【００３７】
請求項１７に係る光トランシーバモジュールは、請求項１４〜１６の何れか１項に記載の光トランシーバモジュールであって、前記レバーの回動を停止させる回動停止部が前記ハウジングに設けられ、前記駆動力作用部が前記回動停止部に接することにより、前記レバーの回動操作が停止することを特徴とする。
【００３８】
上記構成により、ハウジングに対するレバーの回動操作は、確実に停止される。相手側のものに係止された光トランシーバモジュールが、相手側のものから取り外されようとされたときに、レバーが回動させられて、ハウジングの回動停止部にレバーの駆動力作用部が接することにより、レバーの回動操作が停止する。レバーの回動操作が停止したときに、レバーに連係するアクチュエータ主体部材は、ハウジングの係止部に最も近づけられる。このときに、ハウジングの係止部に係り合わせられた相手側係合部の係止解除が行われる。レバーの回動が停止したことにより、光トランシーバモジュールが相手側のものから係止解除されたものと容易で確実に判別できる。従って、相手側のものから光トランシーバモジュールを容易で確実に取り外すことができる。
【００３９】
請求項１８に係る光トランシーバモジュールは、請求項１４〜１７の何れか１項に記載の光トランシーバモジュールであって、前記駆動力作用部は略凸状に形成され、前記駆動力作用部に対応して、前記駆動力伝達部は略凹状に形成され、略凸状の前記駆動力作用部は、略凹状の前記駆動力伝達部に対して隙間がもたされた状態で、略凹状の前記駆動力伝達部に合わせられたことを特徴とする。
【００４０】
上記構成により、レバーが回動されると、レバーに連係したアクチュエータ主体部材は、スムーズに直進移動させられる。レバーに形成された略凸状の駆動力作用部は、レバーの回動動作に基づいて、アクチュエータ主体部材を直進動作させる例えばカムとしての役割を果たす。レバーが回動されるときにレバーの駆動力作用部は回動する。そのときに、レバーの略凸状駆動力作用部は、アクチュエータ主体部材の略凹状駆動力伝達部内にて回動されながら、アクチュエータ主体部材の略凹状駆動力伝達部を押動する。レバーに形成された略凸状の駆動力作用部は、アクチュエータ主体部材に形成された略凹状の駆動力伝達部に対して隙間がもたされた状態で、アクチュエータ主体部材に形成された略凹状の駆動力伝達部に合わせられているので、レバーが回動されると、アクチュエータ主体部材はスムーズに直進移動する。レバーによってスムーズに押動されたアクチュエータ主体部材がハウジングの係止部に近づけられると、ハウジングの係止部に係り合わせられていた相手側係合部は、ハウジングの係止部から外される。従って、光トランシーバモジュールに係止された相手側のものを、光トランシーバモジュールから容易かつ確実に係止解除させることができる。
【００４１】
請求項１９に係る光トランシーバモジュールは、請求項１４〜１８の何れか１項に記載の光トランシーバモジュールであって、前記駆動力作用部は略凸状に形成され、前記駆動力作用部に対応して、前記駆動力伝達部は略凹状に形成され、前記駆動力伝達部に前記駆動力作用部が可動状態で合わせられて、前記駆動力伝達部から前記駆動力作用部が外されることなく、前記アクチュエータ主体部材と、前記レバーとが、前記ハウジングに可動状態で装着されたことを特徴とする。
【００４２】
上記構成により、レバーと、アクチュエータ主体部材とは、常に連係した状態とされる。レバーと、アクチュエータ主体部材とが、常に連係した状態とされるので、レバーが回動されると、アクチュエータ主体部材は、ハウジングの係止部に近づけられる方向またはハウジングの係止部から遠ざけられる方向に沿って必ず直進移動させられる。相手側のものから光トランシーバモジュールを係止解除させるときに、レバーを回動させることにより、レバーに連係するアクチュエータ主体部材が、ハウジングの係止部に向けて直進移動させられ、ハウジングの係止部に係り合わせられた相手側係合部の係止解除が行われる。従って、相手側のものから光トランシーバモジュールを容易かつ確実に取り外すことができる。
【００４３】
請求項２０に係る光トランシーバモジュールは、請求項１２〜１９の何れか１項に記載の光トランシーバモジュールであって、前記レバーを小さい力で回動操作可能な操作力点部が前記レバーに設けられたことを特徴とする。
【００４４】
上記構成により、レバーの回動操作は小さい力で行われる。アクチュエータ主体部材に連係するレバーの操作力点部に小さい力が加えられて、レバーが係止解除回転方向に沿って回動させられることにより、レバーに連係されたアクチュエータ主体部材が、ハウジングの係止部に向けて押動され、光トランシーバモジュールの係止部に係り合わせられた相手側係合部の係止解除が行われる。従って、光トランシーバモジュールを相手側のものから容易に係止解除させることができる。
【００４５】
請求項２１に係る光トランシーバモジュールは、請求項１２〜２０の何れか１項に記載の光トランシーバモジュールであって、前記レバーは、前記レバーを回動操作可能な操作力点部と、前記レバーの回動中心軸とされる回動支点部と、前記アクチュエータ主体部材を駆動させる駆動力作用部と、を備え、前記操作力点部と前記駆動力作用部との間に前記回動支点部が形成されると共に、前記駆動力作用部の近傍に前記回動支点部が位置することを特徴とする。
【００４６】
上記構成により、レバーの操作力点部に軽い力が加えられてレバーが回動させられたときに、レバーに連係するアクチュエータ主体部材は、係止部に対して近づけられる方向または遠ざけられる方向に沿って容易に移動させられる。レバーにおいて、操作力点部と駆動力作用部との間に形成された回動支点部は、駆動力作用部の近傍に位置するので、レバーの操作力点部に小さい力が加えられると、梃子の原理により、レバーの駆動力作用部に大きい力が生じる。レバーの操作力点部に小さい力が加えられてレバーが係止解除回転方向に沿って回動させられたときに、レバーの駆動力作用部に大きい力が発生する。この大きい力により、レバーに連係されたアクチュエータ主体部材が押動され、アクチュエータ主体部材がハウジングの係止部に近づけられて、光トランシーバモジュールの係止部に係り合わせられた相手側係合部の係止解除が確実に行われる。従って、相手側のものから光トランシーバモジュールを容易かつ確実に取り外すことができる。
【００４７】
請求項２２に係る光トランシーバモジュールは、請求項１２〜２１の何れか１項に記載の光トランシーバモジュールであって、前記レバーは、基板部と、前記基板部に対し略直交する方向に沿って前記基板部に延設された一対の側板部と、を備え、前記レバーの前記基板部が操作されて、略水平方向に延設された前記ハウジングに対し前記レバーが回動させられて、前記レバーの前記基板部が略垂直状態のときに、前記アクチュエータ主体部材は、前記係止部に近づけられ、前記レバーの前記基板部が操作されて、略水平方向に延設された前記ハウジングに対し前記レバーが回動させられて、前記レバーの前記基板部が略水平状態のときに、前記アクチュエータ主体部材は、前記係止部から遠ざけられることを特徴とする。
【００４８】
上記構成により、光トランシーバモジュールのレバーの回動操作は容易に行われる。光トランシーバモジュールのレバーの回動操作が容易に行われるので、レバーに連係したアクチュエータ主体部材は、容易に係止部に近づけられたり遠ざけられたりされる。光トランシーバモジュールの係止部に係り合わせられた相手側係合部を光トランシーバモジュールの係止部から外すときに、レバーの基板部が操作されることにより、レバーが回動されてアクチュエータ主体部材が動かされ、アクチュエータ主体部材により、光トランシーバモジュールの係止部に係り合わせられた相手側係合部は、光トランシーバモジュールの係止部から容易に外される。従って、相手側のものから光トランシーバモジュールを容易に取り外すことができる。
【００４９】
請求項２３に係る光トランシーバモジュールは、請求項１２〜２２の何れか１項に記載の光トランシーバモジュールであって、光信号が通される光ケーブルのコネクタ部が挿着可能なコネクタソケット部が、前記ハウジングに開設され、前記アクチュエータ主体部材が前記係止部に近づけられたときに、前記コネクタソケット部の開口部は、前記レバーにより遮られることを特徴とする。
【００５０】
上記構成により、光トランシーバモジュールが相手側のものに取り付けられるときに、相手側のものに対する光トランシーバモジュールの取付不良の発生は抑えられる。光トランシーバモジュールのアクチュエータ主体部材がハウジングの係止部に近づけられた状態で、光トランシーバモジュールが相手側のものに取り付けられようとされた場合、アクチュエータ主体部材が相手側係合部に接し、これが原因で係止解除が行われようとされ、その結果、相手側係合部に光トランシーバモジュールの係止部が確実に係り合わせられていない取付不良の状態で、光トランシーバモジュールが相手側のものに取り付けられることが懸念される。相手側のものに光トランシーバモジュールが取り付けられるときに、コネクタソケット部の開口部がレバーによって遮られた状態のときには、光トランシーバモジュールに取付不良が生じていることが一目で判別できる。コネクタソケット部の開口部がレバーによって遮られた状態では、コネクタソケット部の開口部に、光信号が通される光ケーブルのコネクタ部を挿着させることができない。これに気が付いた作業者は、相手側のものに確実に光トランシーバモジュールを装着させようとする。従って、相手側のものに光トランシーバモジュールを確実に装着させることができる。相手側のものに光トランシーバモジュールが確実に係止された状態で装着されていれば、コネクタソケット部の開口部は、レバーによって遮られることはない。相手側のものに光トランシーバモジュールが確実に係止された状態で取り付けられていれば、コネクタソケット部の開口部に、光ケーブルのコネクタ部を挿着させることができる。
【００５１】
請求項２４に係る光トランシーバモジュールは、請求項２３に記載の光トランシーバモジュールであって、前記ハウジングは、略矩形箱状に形成され、前記ハウジングに対応して、前記レバーは、基板部と、前記基板部に対し略直交する方向に沿って前記基板部に延設された一対の側板部と、を備え、前記アクチュエータ主体部材が前記係止部に近づけられたときに、前記レバーは、一対の前記側板部の回動支点部を中心として回動させられて、前記開口部は、前記基板部により遮られることを特徴とする。
【００５２】
上記構成により、相手側のものに対する光トランシーバモジュールの取付不良の発生は、確実に抑えられる。光トランシーバモジュールのアクチュエータ主体部材がハウジングの係止部に近づけられた状態で、光トランシーバモジュールが相手側のものに取り付けられようとされた場合、レバーは、一対の側板部の回動支点部を中心として回動され、略矩形箱状のハウジングに開設されたコネクタソケット部の開口部は、レバーの基板部により遮られる。従って、相手側のものに対する光トランシーバモジュールの係止が確実に行われずに、取付不良が生じていることを、一目で確実に判別することができる。相手側のものに対する光トランシーバモジュールの取付不良が確実に判別されることにより、光トランシーバモジュールの取付不良の発生は、確実に抑えられる。従って、相手側のものに光トランシーバモジュールを確実に装着させることができる。
【００５３】
請求項２５に係る光トランシーバモジュールは、請求項１２〜２４の何れか１項に記載の光トランシーバモジュールであって、前記レバーは、前記ハウジングにおける互いに対向する第１及び第２の側面部において前記ハウジングに対して回動可能に係止されると共に、前記ハウジングの前記第１の側面部、上面部、前記第２の側面部に跨って設けられ、前記アクチュエータ主体部材は、前記レバーの一部と係合するように前記ハウジングの下面部に対して摺動可能に装着されたことを特徴とする。
【００５４】
上記構成により、光トランシーバモジュールは、相手側のものから容易かつ確実に取り外される。光トランシーバモジュールを相手側のものから取り外す際には、ハウジングの上面部側から下面部側へ向けてレバーを回動させることによって、レバーの動きに伴って、アクチュエータ主体部材を係止部に近づけるように移動させることができる。アクチュエータ主体部材の移動によって、光トランシーバモジュールのハウジングの係止部と、相手側係合部との係り合いが開放されて、相手側のものから光トランシーバモジュールを容易かつ確実に取り外すことができる。
【発明の効果】
【００５５】
本発明によれば、確実に取付けが行われたり容易に取外しが行われたりされる光トランシーバモジュールを提供することができる。
【発明を実施するための最良の形態】
【００５６】
図１及び図２の外観斜視図に示すように、本発明の実施の形態における光トランシーバモジュール１００は、上部金属カバー１０、下部金属カバー２０、帯電防止部材３０、ハウジング４０、レバー５０及びアクチュエータ主体部材６０を含んで構成される。上部金属カバー１０、下部金属カバー２０、帯電防止部材３０、ハウジング４０及びレバー５０は、例えば、金属板に打抜き加工、曲げ加工、切起し加工等の処理が施されることによって形成される。また、アクチュエータ主体部材６０は、例えば、合成樹脂が型に流し込まれて合成樹脂が固化または硬化することによって形成される。ここで、モジュールとは、追加や、交換等を容易にするために複数の部品を組み合わせた構成単位を意味する。また、アクチュエータとは、エネルギーを並進運動または回転運動に変換させる駆動装置を意味する。また、光トランシーバモジュール１００において、例えば、アクチュエータ主体部材６０が位置する側を前側とし、カードエッジコネクタ部８０ｆ（図２）が位置する側を後側とする。なお、この明細書における「上」、「下」、「前」、「後」の定義は、各部を説明するために便宜上用いた。例えば、図２，図１３〜図１６に示すように、光トランシーバモジュール１００及び光トランシーバソケット２００が上下逆さまの状態で使用されてもよい。
【００５７】
図３及び図４に示すように、ハウジング４０の本体部４１に、光信号を電気信号に変換して出力する受信部材７０、電気信号を光信号に変換して出力する送信部材７２が装着される。受信部材７０は、受信用の小型光デバイス（ＲＯＳＡ：Receiver Optical Sub-Assembly）であり、送信部材７２は、送信用の小型光デバイス（ＴＯＳＡ：Transmitter Optical Sub-Assembly）である。
【００５８】
受信部材７０は、受信部材本体７０ａに突設された円筒状突出部７０ｂを本体部４１の隔壁４１ａに設けられた長円状の挿通孔４１ｂに挿通させ、略八角形柱状に形成された受信部材本体７０ａを本体部４１の収納部４１ｃ内における略円弧形状の支持部４１ｄに合わせるようにして本体部４１に装着される。同様に、送信部材７２は、送信部材本体７２ａに突設された円筒状突出部７２ｂを本体部４１の隔壁４１ａに設けられた長円状の挿通孔４１ｂに挿通させ、略八角形柱状に形成された送信部材本体７２ａを本体部４１の収納部４１ｃ内における略円弧形状の支持部４１ｄに合わせるようにして本体部４１に装着される。
【００５９】
また、本体部４１に、回路基板８０が装着される。本体部４１の収納部４１ｃ内に設けられた位置合わせ用の突出部４１ｅと、回路基板８０の基板本体８０ａに設けられた位置合わせ用の長円状の貫通孔８０ｅとが嵌め合わせられて、回路基板８０が本体部４１に装着される。このとき、受信部材本体７０ａから引き出された複数の端子７０ｃが、基板本体８０ａに設けられた端子接続用の複数の挿通孔８０ｂに挿通される。同様に、送信部材本体７２ａから引き出された複数の端子７２ｃが、基板本体８０ａに設けられた端子接続用の複数の挿通孔８０ｃに挿通される。
【００６０】
さらに、基板本体８０ａに設けられた固定用孔８０ｄを挿通するようにして、本体部４１の収納部４１ｃに設けられた円筒状の突出部４１ｆに止め具９０の本体部９０ａを嵌合させる。これによって、ピン状の止め具９０を用いて回路基板８０が本体部４１に固定される。
【００６１】
また、基板本体８０ａの挿通孔８０ｂ，８０ｃに挿通された受信部材７０の端子７０ｃ及び送信部材７２の端子７２ｃが、基板本体８０ａの表面部上に設けられた回路（図示しない）にはんだ付けされることによって、受信部材７０及び送信部材７２と、回路基板８０に設けられた回路とが、電気的に接続される。回路基板８０に設けられた回路は、基板本体８０ａの端部に設けられたカードエッジコネクタ部８０ｆに接続されている。ハウジング４０の本体部４１に回路基板８０が装着されることによって、図２に示すように、ハウジング４０の端部４１ｇからカードエッジコネクタ部８０ｆが突出した構成とされる。これによって、カードエッジコネクタ部８０ｆを介して、受信部材７０（図３，図４）及び送信部材７２と、外部回路（図示しない）とを電気的に接続することが可能となる。ハウジング４０に、回路基板８０等を被う第一カバー１０（図１，図２）及び第二カバー２０がさらに装着される。
【００６２】
また、ハウジング４０に、金属製の帯電防止部材３０が装着される。帯電防止部材３０は、図１，図２及び図５に示すように、ハウジング４０の外形よりわずかに大きい略矩形の筒状となるように折り曲げられた金属板で構成される。帯電防止部材３０（図５）は、複数の可撓性舌片３１，３２，３３，３４を周壁３５に備えている。舌片３１は、周壁３５の一面部３５ａに設けられ、基端部３１ｂから筒状周壁３５の外側に向けてわずかに折り曲げられ、先端部３１ａが筒状周壁３５の内側に向けて折り返されている。また、舌片３２，３３，３４は、それぞれ周壁３５の縁端部３５ｂに設けられた基端部３２ｂ，３３ｂ，３４ｂから筒状周壁３５の外側に向けてわずかに折り曲げられ、それぞれの先端部３２ａ，３３ａ，３４ａが筒状周壁３５の内側に向けて折り返されている。また、各舌片３１，３２，３３，３４は、光トランシーバソケット２００（図６）に対する光トランシーバモジュール１００の挿入方向Ｐと反対方向Ｑに略沿って周壁３５の外側に突出するように設けられている（図５，図９〜図１１）。
【００６３】
帯電防止部材３０の各舌片３１，３２，３３，３４が、光トランシーバソケット２００（図６）に対する光トランシーバモジュール１００の挿入方向Ｐと略反対方向Ｑに沿って、帯電防止部材３０の周壁３５（図１，図５）の外側に突出されるように、帯電防止部材３０がハウジング４０の外周面部４０ｆに装着される（図１，図２，図６）。このとき、周壁３５（図５）に設けられた係止部３６が、ハウジング４０の一部に設けられた係合部（図示しない）に係り合わせられることによって、帯電防止部材３０がハウジング４０に固定される。
【００６４】
上部金属カバー１０（図１）は、金属板をプレス加工により型抜きし、折曲げ加工によって成形されたものであり、ハウジング４０の３面を被う上面部１１，各側面部１２を備える。一方、下部金属カバー２０（図２）は、金属板をプレス加工により型抜きし、折曲げ加工によって成形されたものであり、ハウジング４０の３面を被う下面部２１，各側面部２２を備える。上部金属カバー１０及び下部金属カバー２０は、図１及び図２に示すように、下部金属カバー２０の側面部２２に設けられた係合部２３に、上部金属カバー１０の側面部１２に設けられた係止部１３を係り合わせることによって、上部金属カバー１０及び下部金属カバー２０は、帯電防止部材３０が装着されたハウジング４０の外周を囲むようにハウジング４０に取り付けられる。
【００６５】
このように、ハウジング４０の外周面部４０ｆを上部金属カバー１０及び下部金属カバー２０により被うことによって、外部からの衝撃、埃などから受信部材７０、送信部材７２及び回路基板８０を保護することができる。なお、光トランシーバモジュール１００の設計／仕様等により、例えば、上部金属カバー１０が設けられることなく省略され、ハウジング４０の本体部４１が上部金属カバー１０の役目を果たすようにしてもよい。
【００６６】
また、受信部材７０（図３，図４），送信部材７２及び回路基板８０などの主要部材がハウジング４０内に格納され、かつ、ハウジング４０（図１，図２，図６，図８〜図１２）に帯電防止部材３０が装着されることによって、光トランシーバモジュール１００に静電気が帯電されていたり、光トランシーバモジュール１００に接続される光ファイバ（図示しない）等の部材に静電気が帯電されていたりすることがあった場合でも、静電気は、帯電防止部材３０を介して、帯電防止部材３０の各舌片３１，３２，３３，３４が接触する光トランシーバソケット２００（図６）へ速やかに逃がされる。
【００６７】
また、光トランシーバモジュール１００（図６）の光トランシーバソケット２００に挿入されない側におけるハウジング４０の接続部４０ｃに、ハウジング４０（図３，図４）の収納部４１ｃに格納された受信部材７０及び送信部材７２に光ファイバ等の光ケーブルのコネクタいわゆるプラグ（図示しない）を接続するためのコネクタソケット部４０ａ，４０ｂ（図１，図２，図６，図７）が設けられている。コネクタソケット部４０ａ，４０ｂの形状は、一般的に規格によって定められている。本実施の形態では、略矩形箱状の一対のコネクタソケット部４０ａ，４０ｂがハウジング４０に設けられている。
【００６８】
また、図７に示すように、ハウジング４０の接続部４０ｃの下面部４３ｂに、下面部４３ｂの両縁端部４３ｃ近傍から下側へ向けてハウジング４０の長手方向に沿って突出された一対の突出部４４，４４が形成されている。図７は、光トランシーバモジュール１００の接続部分が上下逆さまに示された分解斜視図である。ハウジング４０の長手方向に沿ったレール部４４ｂが、突出部４４を構成するものとして、ハウジング４０の下面部４３ｂに突出形成されている。また、ハウジング４０のレール部４４ｂからハウジング４０の下面部４３ｂの略中央部４３ｄ近傍へ向けて突出すると共に、ハウジング４０の長手方向に沿って延伸されたガイド部４４ａが、突出部４４を構成するものとして形成されている。また、ハウジング４０の接続部４０ｃと本体部４１とを区分けする境界部４０ｄの近傍に、ハウジング４０の下面部４３ｂからハウジング４０の外側に向けて突出する係止部４７が形成されている。また、ハウジング４０の接続部４０ｃの両側面部４２ａ，４２ｂにおいて、ハウジング４０の下面部４３ｂ寄りの箇所に、略円柱状に突出した係止部４５が設けられている。
【００６９】
レバー５０は、例えば略Ｕ字状に屈曲した形状の部材であり、所定の形状に打抜き加工された金属板を曲げ加工することによって、又は、樹脂材料を所定の形状の型を用いて固化または硬化させることによって形成される。レバー５０の両側板部５１の端部５１ａに、角を滑らかに丸められた略矩形板状の突出部５２が、レバー５０の折曲げ方向に沿って突出するように設けられている。また、レバー５０の両側板部５１における端部５１ａ寄りの箇所に、略円形孔状の係合部５５がそれぞれ１つ設けられている。係合部５５は、ハウジング４０に設けられた係止部４５と係合するように、係止部４５の径よりもわずかに大きな径とされている。
【００７０】
アクチュエータ主体部材６０は、樹脂からなる平板状の部材であり、樹脂材料を所定の形状の型に流し込んで固化または硬化させることによって形成される。アクチュエータ主体部材６０の上面部側に、アクチュエータ主体部材６０の上側に向けて突出する摺動部６１ａが設けられている。摺動部６１ａの上面部は、ハウジング４０の下面部４３ｂに対して摺動できるように滑らかに加工されている。摺動部６１ａは、その断面が略Ｔ字型となるように、アクチュエータ主体部材６０の側部６３に略向けて突出された突出部６４を有する。また、アクチュエータ主体部材６０の側部６３の略中央部６３ａに、アクチュエータ主体部材６０の下面部６１ｂから上面部側に抜けるまで、レバー５０の略厚みＫ１程度の深さを有する切欠部６２が設けられている。アクチュエータ主体部材６０の切欠部６２の横幅Ｎ１（図９，図１０）は、レバー５０の略矩形板状の突出部５２における対角線の長さＭ２（図１０）よりも僅かに大きな幅とされている。例えば、レバー５０の略矩形板状の突出部５２における対角線の長さＭ２が略３．２ｍｍとされているのに対し、アクチュエータ主体部材６０の切欠部６２の横幅Ｎ１は、略３．５ｍｍとされている。また、アクチュエータ主体部材６０（図７）の後面部６５の略中央部６５ａに、アクチュエータ主体部材６０の後面部６５から後側に向けて突出された突出部６６が設けられている。突出部６６は、アクチュエータ主体部材６０の下面部６１ｂ側よりも上面部側のほうが長く突出され、下面部６１ｂから上面部にかけて傾斜形成された斜面部６６ａを有する。また、突出部６６の略中央部６６ｃに、アクチュエータ主体部材６０の前側に向けて凹まされた切欠部６６ｂが形成されている。
【００７１】
アクチュエータ主体部材６０は、アクチュエータ主体部材６０の摺動部６１ａに設けられた突出部６４が、ハウジング４０におけるガイド部４４ａおよびレール部４４ｂを備えた突出部４４に緩い状態で嵌め合わせられ、ハウジング４０の長手方向（Ｐ又はＱ方向）に沿って移動可能な状態で、ハウジング４０の下面部４３ｂに装着される。摺動部６１ａの上面部をハウジング４０の下面部４３ｂ上で摺動させることによって、アクチュエータ主体部材６０をハウジング４０の長手方向（Ｐ又はＱ方向）に沿ってスライドさせることができる。このようにアクチュエータ主体部材６０をハウジング４０に装着したのちに、図１及び図２に示すように、レバー５０の突出部５２をアクチュエータ主体部材６０の切欠部６２に緩い状態で嵌め込み、かつ、レバー５０の係合部５５をハウジング４０の係止部４５に緩い状態で嵌め込んで、レバー５０をハウジング４０に装着する。
【００７２】
以上のように、ハウジング４０の接続部４０ｃに、レバー５０及びアクチュエータ主体部材６０を装着する。レバー５０（図１）は、係合部５５と係止部４５とを回動中心として、例えばハウジング４０の接続部４０ｃの上面部４３ａ側から下面部４３ｂ（図２）側にかけたＲｓ方向に引き倒されることが可能となる（図８〜図１２）。また、レバー５０（図１，図２）の突出部５２がアクチュエータ主体部材６０の切欠部６２に嵌め込まれていることによって、レバー５０がＲｓ方向に引き倒されると、アクチュエータ主体部材６０（図７）の摺動部６１ａがハウジング４０の下面部４３ｂ上を摺動し、アクチュエータ主体部材６０がハウジング４０の長手方向（図８〜図１２のＳ方向）に沿ってスライドされる。
【００７３】
図６に示すように、光トランシーバソケット２００は、光トランシーバモジュール１００を構成する略四角箱状をした光トランシーバモジュール本体１０１の略中間断面（図示しない）よりもわずかに大きい略矩形状の開口部２０３を有する略四角筒状に成形された金属板から構成される。光トランシーバソケット２００は、光トランシーバモジュール１００の回路基板８０（図２）のカードエッジコネクタ部８０ｆから出力される電気信号を処理する電気回路が形成されたプリント基板等の外部基板３００（図６）に固定される。光トランシーバソケット２００における開口部２０３の反対側の端部２０６に、光トランシーバモジュール１００（図２）の回路基板８０のカードエッジコネクタ部８０ｆが挿入されて通電可能に接続されるコネクタ部（図示しない）が設けられている。光トランシーバソケット２００（図６）に光トランシーバモジュール１００が挿入されてゆくときに、光トランシーバソケット２００のソケット内部２０５の端部２０６に設けられたコネクタ部と、光トランシーバモジュール１００のカードエッジコネクタ部８０ｆ（図２）とが通電可能に接続されることにより、光トランシーバモジュール１００内の回路等と、外部基板３００（図６）の回路等とが、電気的に接続される。光トランシーバモジュール１００は、光トランシーバソケット２００の開口部２０３からＰ方向に沿ってソケット内部２０５に挿入されて、光トランシーバソケット２００に装着される。
【００７４】
図１，図２，図６，図８〜図１２に示す光トランシーバモジュール１００は、電気信号を光信号に変換して出力する送信部材７２（図３，図４）と、入力された光信号を電気信号に変換して出力する受信部材７０と、送信部材７２と受信部材７０とを収納するハウジング４０とを少なくとも有する。また、この光トランシーバモジュール１００（図１，図２）は、ハウジング４０の外面部４０ｆに設けられ、相手側の光トランシーバソケット２００（図６，図１３〜図１６）の係合部２０７に係り合わせられる係止部４７（図２〜図４，図７，図８，図１３〜図１６）を備えている。また、この光トランシーバモジュール１００（図２）は、ハウジング４０に装着され、係止部４７に対して近づけられる方向（Ｓ方向）および／または遠ざけられる方向（Ｔ方向）に移動可能なアクチュエータ主体部材６０（図２，図７〜図１６）を備えている。アクチュエータ主体部材６０がレバー５０又は治具棒（図示せず）によって押動させられることにより、係止部４７に近づけられる方向（Ｓ方向）にアクチュエータ主体部材６０が移動させられて、ハウジング４０の係止部４７に係り合わせられた相手側光トランシーバソケット２００の係合部２０７の係止解除が行われる（図１３〜図１６）。
【００７５】
これにより、光トランシーバモジュール１００の係止部４７における係止解除が容易に行われる。相手側の光トランシーバソケット２００の係合部２０７に係り合わせられたハウジング４０の係止部４７に対し、遠ざけられていたアクチュエータ主体部材６０を、ハウジング４０の係止部４７に近づける方向（Ｓ方向）に押動させることにより、ハウジング４０の係止部４７に係り合わせられていた相手側光トランシーバソケット２００の係合部２０７の係止解除が容易に行われる。ハウジング４０の係止部４７に係り合わせられていた相手側の光トランシーバソケット２００の係合部２０７が、ハウジング４０の係止部４７から容易に外されるので、相手側の光トランシーバソケット２００から光トランシーバモジュール１００を容易に取り外すことができる。
【００７６】
光トランシーバモジュール１００のアクチュエータ主体部材６０（図２，図７〜図１６）に、相手側の光トランシーバソケット２００（図１３〜図１６）の係合部２０７と、光トランシーバモジュール１００の係止部４７との係止状態を解除させる係止解除部６７が設けられている。係止部４７にアクチュエータ主体部材６０が近づけられて、光トランシーバモジュール１００のアクチュエータ主体部材６０の係止解除部６７が相手側の光トランシーバソケット２００の係合部２０７に十分に接することにより、係止部４７における係止解除が行われる。
【００７７】
これにより、光トランシーバモジュール１００の係止部４７に係り合わせられた相手側光トランシーバソケット２００の係合部２０７の係止解除は、容易に実行可能となる。ハウジング４０の係止部４７にアクチュエータ主体部材６０を近づけ、アクチュエータ主体部材６０の係止解除部６７が相手側の光トランシーバソケット２００の係合部２０７に十分に接すると、ハウジング４０の係止部４７から相手側の光トランシーバソケット２００の係合部２０７が外される。従って、相手側の光トランシーバソケット２００に対する光トランシーバモジュール１００の係止解除を容易に行うことができる。
【００７８】
アクチュエータ主体部材６０の係止解除部６７に、ハウジング４０の外周面部４０ｆの下面部４３ｂに対して斜めに形成された一対の係止解除用の斜面部６６ａ，６６ａが設けられている。斜面部６６ａは、係止部４７に向けられている。
【００７９】
これにより、光トランシーバモジュール１００の係止部４７に係り合わせられた相手側係合部２０７は、光トランシーバモジュール１００の係止部４７から容易かつ確実に外される。アクチュエータ主体部材６０がハウジング４０の係止部４７に近づけられたときに、アクチュエータ主体部材６０の係止解除部６７に設けられた一対の係止解除用の斜面部６６ａ，６６ａが、相手側係合部２０７を押し退ける。係止解除部６７の斜面部６６ａによって、光トランシーバモジュール１００の係止部４７に係り合わせられた相手側係合部２０７が押し退けられることにより、光トランシーバモジュール１００の係止部４７から相手側係合部２０７が外される。従って、相手側の光トランシーバソケット２００から光トランシーバモジュール１００を容易に係止解除させることができる。
【００８０】
アクチュエータ主体部材６０がハウジング４０の係止部４７に対して近づけられる方向（Ｓ方向）に移動させられたときに、アクチュエータ主体部材６０の係止解除部６７がハウジング４０の係止部４７に干渉することを回避させる略凹状の係止部干渉回避部６６ｂが、アクチュエータ主体部材６０の係止解除部６７に設けられている。
【００８１】
これにより、光トランシーバモジュール１００の係止部４７に係り合わせられた相手側係合部２０７は、光トランシーバモジュール１００の係止部４７から容易かつ確実に外される。アクチュエータ主体部材６０がハウジング４０の係止部４７に近づけられたときに、アクチュエータ主体部材６０の係止解除部６７に設けられた略凹状の係止部干渉回避部６６ｂにハウジング４０の係止部４７が位置する所まで、ハウジング４０の係止部４７にアクチュエータ主体部材６０が近づけられたときに、アクチュエータ主体部材６０の係止解除部６７により、相手側係合部２０７から光トランシーバモジュール１００の係止部４７が確実に外される。従って、相手側の光トランシーバソケット２００に対する光トランシーバモジュール１００の係止解除を容易かつ確実に行うことができる。
【００８２】
治工具（図示しない）が用いられて、アクチュエータ主体部材６０が係止部４７に向けて押動させられて、係止部４７の係止解除が行われるときに、治工具の先端部が合わせられて、アクチュエータ主体部材６０を係止部４７に向けて押動させ易くする治工具操作部６０ｂ（図１，図２，図６，図７，図１３〜１６）が、アクチュエータ主体部材６０に設けられている。
【００８３】
これにより、相手側の光トランシーバソケット２００に取り付けられた光トランシーバモジュール１００の周辺に、十分な空間が確保されていない場合でも、光トランシーバモジュール１００は、相手側の光トランシーバソケット２００から容易に係止解除されて取り外される。光トランシーバモジュール１００が取り付けられた相手側の光トランシーバソケット２００の周辺に十分な空間が確保されていないと、相手側の光トランシーバソケット２００から光トランシーバモジュール１００を取り外すときの作業は、行われ難くなることがある。このような場合に、アクチュエータ主体部材６０の治工具操作部６０ｂに治工具の先端部を合わせ、治工具を係止部４７に向けて押すことにより、治工具の先端部が合わせられたアクチュエータ主体部材６０は、係止部４７に向けて押動させられる。これに伴って、光トランシーバモジュール１００の係止部４７と、相手側の光トランシーバソケット２００の係合部２０７との係止状態が解除される。光トランシーバモジュール１００の係止部４７から相手側の光トランシーバソケット２００の係合部２０７が外されるので、相手側の光トランシーバソケット２００から光トランシーバモジュール１００を抜去させることが可能となる。従って、相手側の光トランシーバソケット２００に取り付けられた光トランシーバモジュール１００の周辺に、十分な空間が確保されていない場合でも、光トランシーバモジュール１００の係止部４７と、相手側光トランシーバソケット２００の係合部２０７との係止解除を容易に行って、光トランシーバモジュール１００を相手側の光トランシーバソケット２００から容易に取り外すことができる。
【００８４】
アクチュエータ主体部材６０の治工具操作部６０ｂは、略棒状の治工具の先端部に対応し、略棒状の治工具の先端部が当接される略矩形の窪み状に形成されている。
【００８５】
これにより、相手側の光トランシーバソケット２００に取り付けられた光トランシーバモジュール１００の周辺に、十分な空間が確保されていない場合でも、光トランシーバモジュール１００は、相手側の光トランシーバソケット２００から容易かつ確実に係止解除されて取り外される。治工具を用いて、光トランシーバモジュール１００の係止部４７に係り合わせられた相手側係合部２０７の係止解除を行うときに、アクチュエータ主体部材６０に設けられた略矩形窪み状の治工具操作部６０ｂに、略棒状の治工具の先端部を合わせて治工具を押すことにより、アクチュエータ主体部材６０の治工具操作部６０ｂから略棒状の治工具の先端部が不用意に外されるということは回避される。従って、相手側の光トランシーバソケット２００から光トランシーバモジュール１００を取り外すときに、光トランシーバモジュール１００の係止解除を容易かつ確実に行うことができる。
【００８６】
図７に示すように、ハウジング４０に、略Ｔみぞ状スライド摺動部４９が設けられている。略Ｔみぞ状スライド摺動部４９に対応して、アクチュエータ主体部材６０に、スライド摺動部４９に移動可能に嵌め合わせられる略Ｔみぞナット状スライド摺動部６９が設けられている。略Ｔみぞ状スライド摺動部４９に略Ｔみぞナット状スライド摺動部６９が緩い状態で嵌め合わせられて、ハウジング４０にアクチュエータ主体部材６０がスライド可能に装着されている。
【００８７】
これにより、アクチュエータ主体部材６０は、ハウジング４０に対し、スムーズにスライド移動可能な状態で装着される。ハウジング４０の略Ｔみぞ状スライド摺動部４９に、アクチュエータ主体部材６０の略Ｔみぞナット状スライド摺動部６９が緩い状態で嵌め合わせられていれば、アクチュエータ主体部材６０は、ハウジング４０の係止部４７に対して、スムーズに近づけられたり遠ざけられたりされる。従って、相手側の光トランシーバソケット２００に対する光トランシーバモジュール１００の係止解除を、容易でスムーズに行うことができる。
【００８８】
ハウジング４０（図７）に設けられた略Ｔみぞ状スライド摺動部４９は、ハウジング４０の下面部４３ｂと、ガイド部４４ａ及びレール部４４ｂを備えた一対の突出部４４とを含む。また、アクチュエータ主体部材６０に設けられた略Ｔみぞナット状スライド摺動部６９は、アクチュエータ主体部材６０の摺動部６１ａと、一対の突出部６４とを含む。
【００８９】
アクチュエータ主体部材６０に、相手側係合部２０７（図１３〜図１６）と係止部４７との係止状態を解除させる係止解除部６７が凸設されている。アクチュエータ主体部材６０が係止部４７に対して近づけられる方向（Ｓ方向）に移動させられたときに、アクチュエータ主体部材６０の係止解除部６７の略台形突片状突出部６６がハウジング４０に干渉することを回避させる受入部４６（図７）が、略矩形箱状のハウジング４０に凹設されている。
【００９０】
これにより、光トランシーバモジュール１００の係止部４７に係り合わせられた相手側係合部２０７は、光トランシーバモジュール１００の係止部４７から容易かつ確実に外される。アクチュエータ主体部材６０がハウジング４０の係止部４７に近づけられたときに、アクチュエータ主体部材６０に凸設された係止解除部６７の略台形突片状突出部６６が、ハウジング４０に凹設された受入部４６に十分に位置する所まで、ハウジング４０の係止部４７にアクチュエータ主体部材６０が近づけられたときに、アクチュエータ主体部材６０の係止解除部６７により、相手側係合部２０７から光トランシーバモジュール１００の係止部４７が確実に外される。従って、相手側の光トランシーバソケット２００に対する光トランシーバモジュール１００の係止解除を容易かつ確実に行うことができる。
【００９１】
アクチュエータ主体部材６０（図２）が係止部４７に対して近づけられる方向（Ｓ方向）に移動させられて、ハウジング４０の係止部４７に係り合わせられた相手側のソケット本体２０１（図１３〜図１６）の係合部２０７の係止解除が行われるときに、アクチュエータ主体部材６０（図７）の係止解除部６７を構成する略台形突片状突出部６６の先端部６７ａと、光トランシーバモジュール本体１０１を構成するハウジング４０の受入部４６の奥端部４６ａとに、十分な間隔Ｃ１（図１１）がもたされた状態で係止解除が行われる。
【００９２】
これにより、ハウジング４０の係止部４７から相手側係合部２０７が外されるときの係止解除は、スムーズに確実に行われる。係止解除が行われるときに、例えば、光トランシーバモジュール本体１０１のハウジング４０に設けられた受入部４６の奥端部４６ａに、アクチュエータ主体部材６０の係止解除部６７を構成する略台形突片状突出部６６の先端部６７ａが必ず当接される場合、ハウジング４０の係止部４７にアクチュエータ主体部材６０が十分に近づけられず、これが原因で、係止解除が確実に行われない可能性がある。ハウジング４０の係止部４７から相手側係合部２０７が係止解除されるときに、アクチュエータ主体部材６０の係止解除部６７を構成する略台形突片状突出部６６の先端部６７ａと、光トランシーバモジュール本体１０１のハウジング４０に設けられた受入部４６の奥端部４６ａとに、十分な間隔Ｃ１がもたされることにより、ハウジング４０の係止部４７に対する相手側係合部２０７の係止解除は、スムーズに確実に行われる。
【００９３】
このときのアクチュエータ主体部材６０（図７）の係止解除部６７を構成する略台形突片状突出部６６の先端部６７ａと、光トランシーバモジュール本体１０１を構成するハウジング４０の受入部４６の奥端部４６ａとの間隔Ｃ１（図１１）は、略０．５ｍｍとされている。この間隔Ｃ１は、例えば０．１〜５．０ｍｍに設定されることが好ましい。間隔Ｃ１が０．１ｍｍよりも小さい値に設定されると、例えば、ハウジング４０やアクチュエータ主体部材６０などの寸法誤差などにより、係止解除が行われるときに、光トランシーバモジュール本体１０１のハウジング４０に設けられた受入部４６の奥端部４６ａに、アクチュエータ主体部材６０の係止解除部６７を構成する略台形突片状突出部６６の先端部６７ａが必ず当接され、係止解除がスムーズで確実に行われないことが懸念される。また、間隔Ｃ１が５．０ｍｍよりも大きい値に設定されると、光トランシーバモジュール１００を構成するハウジング４０の受入部４６が必要以上に広げられ、光トランシーバモジュール１００の小型化が図られ難くなる。間隔Ｃ１が例えば０．１〜３．０ｍｍに設定されることにより、スムーズで確実な係止解除が行われると共に、光トランシーバモジュール１００の小型化が図られる。
【００９４】
略板状のアクチュエータ主体部材６０（図１，図２，図６〜図９）は、略矩形箱状の光トランシーバモジュール本体１０１を構成するハウジング４０に移動可能に装備されている。略板状のアクチュエータ主体部材６０が押圧されて、略矩形箱状の光トランシーバモジュール本体１０１に対応した略矩形箱状の光トランシーバソケット２００（図６）に、アクチュエータ主体部材６０を備えた略矩形箱状の光トランシーバモジュール本体１０１が取り付けられるときに、アクチュエータ主体部材６０（図１３〜図１６）が係止部４７に近づけられて、光トランシーバソケット２００に設けられた相手側係合部２０７に係り合わせられつつある係止部４７が、相手側係合部２０７から外されようとすることを防ぐ一対のガード部４８，４８（図１〜図４，図６，図７，図１３〜図１６）が、ハウジング４０に設けられている。
【００９５】
これにより、光トランシーバモジュール１００を構成する略矩形箱状の光トランシーバモジュール本体１０１は、略矩形箱状の光トランシーバソケット２００に確実に取り付けられる。略矩形箱状の光トランシーバソケット２００に、アクチュエータ主体部材６０を備えた略矩形箱状の光トランシーバモジュール本体１０１が取り付けられるときに、アクチュエータ主体部材６０が押圧されて、略矩形箱状の光トランシーバソケット２００に略矩形箱状の光トランシーバモジュール本体１０１が取り付けられる。光トランシーバモジュール１００が光トランシーバソケット２００に取り付けられるときに、アクチュエータ主体部材６０が押圧されると、光トランシーバソケット２００に設けられた相手側係合部２０７に係り合わせられつつある係止部４７は、相手側係合部２０７から外されようとする。これを防ぐための一対のガード部４８，４８がハウジング４０に設けられているので、光トランシーバモジュール１００が光トランシーバソケット２００に取り付けられるときに、不用意に係止解除が行われ、その結果、光トランシーバソケット２００に対する光トランシーバモジュール１００の取付不良が生じるという不具合の発生は回避される。従って、光トランシーバソケット２００に光トランシーバモジュール１００を確実に取り付けることができる。
【００９６】
一対のガード部４８，４８は、ハウジング４０の開口部４０ｅにおける下面部４３ｂよりの位置から光トランシーバソケット２００に対する光トランシーバモジュール１００の挿入方向（Ｐ方向）と反対方向（Ｑ方向）に沿って突出形成されている。また、一対のガード部４８，４８は、一対の突出部４４，４４の一部を兼ねて形成されている。
【００９７】
光トランシーバソケット２００（図６）にアクチュエータ主体部材６０を備えた光トランシーバモジュール本体１０１が取り付けられるときに、光トランシーバソケット２００に光トランシーバモジュール本体１０１を押入させ易くする押圧面部６０ａ（図１，図２，図６，図７）が、アクチュエータ主体部材６０に設けられている。アクチュエータ主体部材６０の押圧面部６０ａに対応して、アクチュエータ主体部材６０が係止部４７に近づけられることを防止させるための係止解除防止面部４８ａが、ハウジング４０のガード部４８に設けられている。押圧面部６０ａおよび係止解除防止面部４８ａが略一致した状態で、押圧面部６０ａおよび係止解除防止面部４８ａに指などによって押圧力が加えられることにより、係止不良が生じることなく、光トランシーバソケット２００に、アクチュエータ主体部材６０を備える光トランシーバモジュール本体１０１が取り付けられる。
【００９８】
これにより、光トランシーバモジュール１００を構成する略矩形箱状の光トランシーバモジュール本体１０１は、略矩形箱状の光トランシーバソケット２００に容易かつ確実に取り付けられる。アクチュエータ主体部材６０の押圧面部６０ａと、ハウジング４０のガード部４８の係止解除防止面部４８ａとを略一致させた状態で、アクチュエータ主体部材６０を備える光トランシーバモジュール本体１０１を光トランシーバソケット２００に押入させることにより、光トランシーバソケット２００に対する光トランシーバモジュール１００の取付作業を容易に行うことができる。また、アクチュエータ主体部材６０の押圧面部６０ａと、ハウジング４０のガード部４８の係止解除防止面部４８ａとを略一致させた状態で、アクチュエータ主体部材６０を備える光トランシーバモジュール本体１０１を光トランシーバソケット２００に押入させることにより、光トランシーバソケット２００の相手側係合部２０７に係り合わせられつつある光トランシーバモジュール本体１０１の係止部４７が、光トランシーバソケット２００の相手側係合部２０７から外されようとされることは回避され、光トランシーバモジュール１００は、光トランシーバソケット２００に確実に係り合わせられつつ取り付けられる。従って、光トランシーバソケット２００に光トランシーバモジュール１００を容易かつ確実に取り付けることができる。
【００９９】
図６に示すように、Ｐ方向に沿って光トランシーバモジュール１００を押動させて、光トランシーバソケット２００に光トランシーバモジュール１００を装着させる際に、光トランシーバモジュール１００を押動させ易くするために、予めレバー５０をＲｔ方向に回動操作させて、アクチュエータ主体部材６０をＴ方向に沿ってスライド移動させておく。
【０１００】
これにより、光トランシーバモジュール１００のアクチュエータ主体部材６０の斜面部６６ａが、光トランシーバソケット２００の舌片部２１０の縁端部２０９に接することなく、光トランシーバソケット２００に光トランシーバモジュール１００が装着される。従って、光トランシーバソケット２００に対する光トランシーバモジュール１００の装着作業が行われるときに、アクチュエータ主体部材６０によって、光トランシーバモジュール１００の係止部４７が、光トランシーバソケット２００の係合部２０７を構成する係合孔部２０８から外されてしまうことを回避させることができる。
【０１０１】
図１，図２，図６〜図１６に示すように、この光トランシーバモジュール１００は、ハウジング４０に対して回動可能に係止されたレバー５０をさらに備えている。レバー５０と、アクチュエータ主体部材６０とが連係されて、レバー５０が回動させられるときの回動動作と、アクチュエータ主体部材６０が係止部４７に対して近づけられる方向（Ｓ方向）または遠ざけられる方向（Ｔ方向）に移動させられる直進動作とが、連動する。
【０１０２】
これにより、光トランシーバモジュール１００の係止部４７に係り合わせられた相手側係合部２０７の係止解除は、容易に行われる。相手側の光トランシーバソケット２００に取り付けられた光トランシーバモジュール１００の係止解除が行われるときに、光トランシーバモジュール１００のレバー５０が回動させられることにより、光トランシーバモジュール１００の係止解除は容易に行われる。レバー５０と、アクチュエータ主体部材６０とが連係されているので、光トランシーバモジュール１００のレバー５０を係止解除回転方向（Ｒｓ方向）に沿って回動させると、光トランシーバモジュール１００のアクチュエータ主体部材６０がハウジング４０の係止部４７に近づけられ、光トランシーバモジュール１００の係止部４７に係り合わせられた相手側係合部２０７の係止解除が容易に行われる。光トランシーバモジュール１００の係止部４７から相手側係合部２０７が容易に係止解除されるので、相手側の光トランシーバソケット２００から光トランシーバモジュール１００を容易に取り外すことができる。
【０１０３】
図７に示すように、レバー５０に、一対の略円孔状の回動支点部５５，５５が穿設されている。レバー５０に穿設された一対の略円孔状の回動支点部５５，５５に対応して、ハウジング４０に、レバー５０を回動可能に支持する一対の略円板状の支点部４５，４５が突設されている。ハウジング４０の各支点部４５，４５に、レバー５０の各回動支点部５５，５５が緩い状態で嵌め合わせられて、ハウジング４０にレバー５０が回動可能に装着されている（図９〜図１１，図１３〜図１６）。
【０１０４】
これにより、レバー５０は、ハウジング４０に回動自在な状態で装着される。ハウジング４０にレバー５０が回動自在な状態で装着されているので、ハウジング４０に対するレバー５０の回動動作は容易に行われる。レバー５０の回動動作が容易に実行可能とされているので、ハウジング４０に対しレバー５０が回動されると、レバー５０に連係したアクチュエータ主体部材６０も容易に動かされ、アクチュエータ主体部材６０により、ハウジング４０の係止部４７に係り合わせられた相手側係合部２０７は、ハウジング４０の係止部４７から容易に外される。従って、相手側の光トランシーバソケット２００から光トランシーバモジュール１００を容易に取り外すことができる。
【０１０５】
アクチュエータ主体部材６０（図８〜図１６）を係止部４７に対して近づけられる方向（Ｓ方向）または遠ざけられる方向（Ｔ方向）すなわち前後方向に沿って移動可能とさせる一対の略板状をした略凸状回転駆動力作用部５２，５２が、レバー５０に設けられている（図７）。また、一対の略凸状回転駆動力作用部５２，５２に対応した一対の切欠部６２，６２を備える一対の略凹状直進駆動力伝達部６８，６８が、アクチュエータ主体部材６０に設けられている。
【０１０６】
これにより、光トランシーバモジュール１００のレバー５０を回動させると、相手側の光トランシーバソケット２００に係止された光トランシーバモジュール１００は、相手側の光トランシーバソケット２００から容易かつ確実に係止解除されて取外し可能な状態となる。ハウジング４０に対してレバー５０が回動されたときに、レバー５０の略板状をした一対の略凸状回転駆動力作用部５２，５２が、アクチュエータ主体部材６０における一対の切欠部６２，６２を備えた一対の略凹状直進駆動力伝達部６８，６８を押動することにより、アクチュエータ主体部材６０は、確実に直進移動する。アクチュエータ主体部材６０が確実に直進移動することにより、アクチュエータ主体部材６０がハウジング４０の係止部４７に近づけられ、ハウジング４０の係止部４７に係り合わせられていた相手側係合部２０７は、アクチュエータ主体部材６０によりハウジング４０の係止部４７から確実に外される。従って、相手側の光トランシーバソケット２００から光トランシーバモジュール１００を容易かつ確実に取り外すことができる。
【０１０７】
図７，図８，図１２に示すように、レバー５０の駆動力作用部５２は、係止部４７にアクチュエータ主体部材６０を近づかせる方向（Ｓ方向）に押動可能な係止解除用押圧部５２ａと、係止部４７からアクチュエータ主体部材６０を遠ざける方向（Ｔ方向）に押動可能な定位置復帰用押圧部５２ｂとを備えている。また、アクチュエータ主体部材６０の駆動力伝達部６８は、レバー５０の駆動力作用部５２の係止解除用押圧部５２ａが摺接される係止解除用押圧壁６８ａと、レバー５０の駆動力作用部５２の定位置復帰用押圧部５２ｂが摺接される定位置復帰用押圧壁６８ｂとを備えている。
【０１０８】
これにより、レバー５０が回動されると、アクチュエータ主体部材６０は確実に直進する。ハウジング４０に対してレバー５０が回動されたときに、レバー５０の駆動力作用部５２の係止解除用押圧部５２ａが、アクチュエータ主体部材６０の係止解除用押圧壁６８ａを摺接しつつアクチュエータ主体部材６０の係止解除用押圧壁６８ａを押圧することにより、アクチュエータ主体部材６０が直進移動し、ハウジング４０の係止部４７にアクチュエータ主体部材６０が近づけられて、光トランシーバモジュール１００の係止部４７に係り合わせられた相手側係合部２０７の係止解除が行われる。また、ハウジング４０に対してレバー５０が回動されたときに、レバー５０の駆動力作用部５２の定位置復帰用押圧部５２ｂが、アクチュエータ主体部材６０の定位置復帰用押圧壁６８ｂを摺接しつつアクチュエータ主体部材６０の定位置復帰用押圧壁６８ｂを押圧することにより、アクチュエータ主体部材６０が直進移動し、ハウジング４０の係止部４７からアクチュエータ主体部材６０が遠ざけられて、光トランシーバモジュール１００の通常使用状態の位置にアクチュエータ主体部材６０が動かされる。レバー５０が回動されることに伴って、アクチュエータ主体部材６０がスムーズに直進移動させられることにより、相手側の光トランシーバソケット２００に対する光トランシーバモジュール１００の着脱を容易かつ確実に行うことができる。
【０１０９】
図７，図８，図１２に示すように、レバー５０に設けられた駆動力作用部５２の係止解除用押圧部５２ａは、緩やかな略湾曲面状に形成されている。また、レバー５０に設けられた駆動力作用部５２の定位置復帰用押圧部５２ｂは、緩やかな略湾曲面状に形成されている。
【０１１０】
これにより、レバー５０が回動させられたときに、レバー５０に連係するアクチュエータ主体部材６０は、スムーズに直進移動させられる。レバー５０に設けられた駆動力作用部５２の係止解除用押圧部５２ａが、緩やかな略湾曲面状に形成されていれば、ハウジング４０に対してレバー５０が回動されたときに、レバー５０の駆動力作用部５２の緩やかな略湾曲面状をした係止解除用押圧部５２ａは、アクチュエータ主体部材６０の係止解除用押圧壁６８ａを滑らかに摺接しつつ、アクチュエータ主体部材６０の係止解除用押圧壁６８ａをスムーズに押圧する。また、レバー５０に設けられた駆動力作用部５２の定位置復帰用押圧部５２ｂが、緩やかな略湾曲面状に形成されていれば、ハウジング４０に対してレバー５０が回動されたときに、レバー５０の駆動力作用部５２の緩やかな略湾曲面状をした定位置復帰用押圧部５２ｂは、アクチュエータ主体部材６０の定位置復帰用押圧壁６８ｂを滑らかに摺接しつつ、アクチュエータ主体部材６０の定位置復帰用押圧壁６８ｂをスムーズに押圧する。レバー５０を回動させたときに、レバー５０に連係するアクチュエータ主体部材６０をスムーズに直進移動させることができるので、相手側の光トランシーバソケット２００に対する光トランシーバモジュール１００の係止解除を、容易で確実に操作フィーリングよく行うことができる。
【０１１１】
レバー５０の駆動力作用部５２を構成する緩やかな略湾曲面状の係止解除用押圧部５２ａと、レバー５０の駆動力作用部５２を構成する緩やかな略湾曲面状の定位置復帰用押圧部５２ｂとは、係止解除用押圧部５２ａから定位置復帰用押圧部５２ｂにかけて設けられた略急カーブ状の曲面部５２ｃを介して連成されている。レバー５０の駆動力作用部５２は、略カム状に形成されている。
【０１１２】
図１１及び図１２に示すように、レバー５０が略水平状態に回動させられたときに、レバー５０の回動を停止させる第一回動停止部４２ｃが、ハウジング４０の両側面部４２ａ，４２ｂに突出して設けられている（図１，図２，図１１〜図１６）。レバー５０の駆動力作用部５２の係止解除用押圧部５２ａが、ハウジング４０の両側面部４２ａ，４２ｂの第一回動停止部４２ｃに接することにより、係止解除を行うためのレバー５０の回動操作が停止する（図１１，図１２，図１５）。
【０１１３】
これにより、ハウジング４０に対するレバー５０の回動操作は、確実に停止される。相手側の光トランシーバソケット２００に係止された光トランシーバモジュール１００が、相手側の光トランシーバソケット２００から取り外されようとされたときに、レバー５０が回動させられて、ハウジング４０の両側面部４２ａ，４２ｂの第一回動停止部４２ｃに、レバー５０の駆動力作用部５２の係止解除用押圧部５２ａが接することにより、係止解除を行うためのレバー５０の回動操作が停止する。レバー５０の回動操作が停止したときに、レバー５０に連係するアクチュエータ主体部材６０は、ハウジング４０の係止部４７に最も近づけられる。このときに、ハウジング４０の係止部４７に係り合わせられた相手側係合部２０７の係止解除が行われる。作業者は、レバー５０の回動が停止したことにより、光トランシーバモジュール１００が相手側の光トランシーバソケット２００から係止解除されたものと容易で確実に判別できる。従って、作業者は、相手側の光トランシーバソケット２００から光トランシーバモジュール１００を容易で確実に手際よく取り外すことができる。
【０１１４】
図８及び図９に示すように、レバー５０が略垂直状態に回動させられたときに、レバー５０の回動を停止させる第二回動停止部４２ｄが、ハウジング４０の両側面部４２ａ，４２ｂに突出して設けられている（図１，図２，図８，図９，図１３〜図１６）。レバー５０の両側板部５１の端面部５６が、ハウジング４０の両側面部４２ａ，４２ｂの第二回動停止部４２ｄに接することにより、アクチュエータ主体部材６０を定位置に復帰させるためのレバー５０の回動操作が停止する（図８，図９，図１３）。
【０１１５】
この状態において、略矩形箱状のハウジング４０に開設された複数のコネクタソケット部４０ａ，４０ｂの開口部４０ｅは、レバー５０の略基板状操作力点部５４によって遮られることがない。従って、光信号が通される光ケーブルのコネクタ部は、ハウジング４０に設けられたコネクタソケット部４０ａ，４０ｂの開口部４０ｅに挿入可能とされる。
【０１１６】
また、図１，図２，図７〜図９に示すように、略水平方向（Ｐ又はＱ方向）に沿って延設された光トランシーバモジュール本体１０１に対し、レバー５０を略垂直状態に停止させ続けることを可能とさせたレバー回動防止部５７が、レバー５０の両側板部５１に設けられている。一対のレバー回動防止部５７，５７（図７）は、正面視略逆凹状に形成されたレバー５０の両側板部５１からレバー５０の内側に向けて、互いに向かい合わせられるように突出形成されている。正面視略逆凹状のレバー５０（図１，図２）が略垂直状態に回動させられたときに、レバー５０に設けられた一対の回動防止部５７，５７が、略矩形箱状をしたハウジング４０を構成する一対の側面部４２ａ，４２ｂに軽い力で押し付けられつつ接することにより、略水平方向（Ｐ又はＱ方向）に沿って延設された光トランシーバモジュール本体１０１に対し、ハウジング４０に回動可能に取り付けられたレバー５０は、動かされることなく略垂直な状態に維持される。正面視略逆凹状のレバー５０が略矩形箱状のハウジング４０に仮止めされるときに、レバー５０を構成する一対の側面部４２ａ，４２ｂは、正面視略逆凹状のレバー５０の外側に向けてわずかに広げられる。正面視略逆凹状のレバー５０を構成する一対の側面部４２ａ，４２ｂが、正面視略逆凹状のレバー５０の外側に向けてわずかに広げられたときに、レバー５０が元の形に戻ろうとする復元弾性力がレバー５０に生じる。レバー５０に生じた復元弾性力により、正面視略逆凹状のレバー５０は、軽い力で略矩形箱状のハウジング４０を抑え付けながら、略矩形箱状のハウジング４０を挟み込む。
【０１１７】
光トランシーバモジュール１００に光ケーブルのコネクタが接続されず、光トランシーバモジュール１００が長期に亘って未使用状態に維持されるときには、図１，図２，図６，図８，図９に示すソケット開口状態において、光トランシーバモジュール１００の両コネクタソケット部４０ａ，４０ｂに、合成樹脂製のキャップ（図示しない）が挿着される。合成樹脂製キャップが光トランシーバモジュール１００のコネクタソケット部４０ａ，４０ｂに挿着されて、コネクタソケット部４０ａ，４０ｂが塞がれることにより、埃などの異物が光トランシーバモジュール１００のコネクタソケット部４０ａ，４０ｂに入り込むということを防ぐことができる。
【０１１８】
図７〜図１６に示すように、レバー５０の駆動力作用部５２は、略板状をした略凸状に形成されている。レバー５０に形成された略凸状の略板状駆動力作用部５２に対応して、アクチュエータ主体部材６０の駆動力伝達部６８は、切欠部６２を含む略凹状に形成されている。レバー５０に形成された略凸状の駆動力作用部５２は、アクチュエータ主体部材６０に形成された略凹状の駆動力伝達部６８の切欠部６２に対して、十分な隙間Ｇ１，Ｇ２（図９），Ｇ３，Ｇ４（図１０）がもたされた状態で、アクチュエータ主体部材６０に形成された略凹状の駆動力伝達部６８の切欠部６２に嵌め合わせられている。
【０１１９】
これにより、レバー５０が回動されると、レバー５０に連係したアクチュエータ主体部材６０は、スムーズに直進移動させられる。レバー５０に形成された略凸状の駆動力作用部５２は、レバー５０の回動動作に基づいて、アクチュエータ主体部材６０を直進動作させる例えばカムとしての役割を果たす。レバー５０が回動されるときにレバー５０の駆動力作用部５２は回動する。そのときに、レバー５０の略凸状駆動力作用部５２は、アクチュエータ主体部材６０の略凹状駆動力伝達部６８の切欠部６２内にて回動されながら、アクチュエータ主体部材６０の略凹状駆動力伝達部６８を押動する。レバー５０に形成された略凸状の駆動力作用部５２は、アクチュエータ主体部材６０に形成された略凹状の駆動力伝達部６８の切欠部６２に対して十分な隙間Ｇ１，Ｇ２，Ｇ３，Ｇ４がもたされた状態で、アクチュエータ主体部材６０に形成された略凹状の駆動力伝達部６８の切欠部６２に嵌め合わせられているので、レバー５０が回動されると、アクチュエータ主体部材６０はスムーズに直進移動する。レバー５０によってスムーズに直進押動されたアクチュエータ主体部材６０がハウジング４０の係止部４７に近づけられると、ハウジング４０の係止部４７に係り合わせられていた相手側係合部２０７は、ハウジング４０の係止部４７から外される。従って、光トランシーバモジュール１００に係止された相手側の光トランシーバソケット２００を、光トランシーバモジュール１００から容易かつ確実に係止解除させることができる。
【０１２０】
図９示すように、レバー５０が略垂直状態のときには、隙間Ｇ１，Ｇ２は、略０．２ｍｍとされている。また、そのときのレバー５０における駆動力作用部５２の横幅Ｍ１は、略３．１ｍｍとされている。また、そのときのアクチュエータ主体部材６０（図７）の係止解除部６７を構成する略台形突片状突出部６６の先端部６７ａと、光トランシーバモジュール本体１０１を構成するハウジング４０の受入部４６の奥端部４６ａとの距離Ｌ１（図９）は、略３．６ｍｍとされている。
【０１２１】
図１０示すように、レバー５０が傾斜状態のときには、隙間Ｇ３，Ｇ４は、略０．１５ｍｍとされている。また、そのときのレバー５０における駆動力作用部５２の対角長さＭ２は、略３．２ｍｍとされている。また、そのときのアクチュエータ主体部材６０（図７）の係止解除部６７を構成する略台形突片状突出部６６の先端部６７ａと、光トランシーバモジュール本体１０１を構成するハウジング４０の受入部４６の奥端部４６ａとの距離Ｌ２（図１０）は、略２ｍｍとされている。
【０１２２】
隙間Ｇ１，Ｇ２，Ｇ３，Ｇ４は、例えば０．１〜１．０ｍｍに設定されることが好ましい。隙間Ｇ１，Ｇ２，Ｇ３，Ｇ４が０．１ｍｍよりも小さい値に設定されると、例えば、レバー５０やアクチュエータ主体部材６０などの寸法誤差などにより、アクチュエータ主体部材６０の略凹状駆動力伝達部６８の切欠部６２内にて、レバー５０の略凸状駆動力作用部５２がスムーズに回動されないことが懸念される。また、隙間Ｇ１，Ｇ２，Ｇ３，Ｇ４が１．０ｍｍよりも大きい値に設定されると、アクチュエータ主体部材６０の略凹状駆動力伝達部６８の切欠部６２と、レバー５０の略凸状駆動力作用部５２とに「がた」が生じ、アクチュエータ主体部材６０が精度よく押動されないことが懸念される。隙間Ｇ１，Ｇ２，Ｇ３，Ｇ４が例えば０．１〜０．５ｍｍに設定されることにより、レバー５０の略凸状駆動力作用部５２は、アクチュエータ主体部材６０の略凹状駆動力伝達部６８の切欠部６２内にてスムーズに回動されると共に、アクチュエータ主体部材６０は、レバー５０によって精度よく押動される。
【０１２３】
アクチュエータ主体部材６０（図１，図２，図６〜図１６）の駆動力伝達部６８の切欠部６２にレバー５０の駆動力作用部５２が可動状態で嵌め合わせられて、アクチュエータ主体部材６０の駆動力伝達部６８の切欠部６２からレバー５０の駆動力作用部５２が外されることなく、アクチュエータ主体部材６０と、レバー５０とが、ハウジング４０に可動状態で装着されている。
【０１２４】
これにより、レバー５０と、アクチュエータ主体部材６０とは、常に連係した状態とされる。レバー５０と、アクチュエータ主体部材６０とが、常に連係した状態とされるので、レバー５０が回動されると、アクチュエータ主体部材６０は、ハウジング４０の係止部４７に近づけられる方向（Ｓ方向）またはハウジング４０の係止部４７から遠ざけられる方向（Ｔ方向）に沿って必ず直進移動させられる。相手側の光トランシーバソケット２００から光トランシーバモジュール１００を係止解除させるときに、レバー５０を回動させることにより、レバー５０に連係するアクチュエータ主体部材６０が、ハウジング４０の係止部４７に向けて直進移動させられ、ハウジング４０の係止部４７に係り合わせられた相手側係合部２０７の係止解除が行われる。従って、相手側の光トランシーバソケット２００から光トランシーバモジュール１００を容易かつ確実に取り外すことができる。
【０１２５】
図１及び図６に示すように、レバー５０を小さい力で回動操作可能な窪み状部５４ａを含む操作力点部５４が、レバー５０の基板部５３に設けられている。
【０１２６】
これにより、レバー５０の回動操作は小さい力で行われる。アクチュエータ主体部材６０に連係するレバー５０の基板部５３の窪み状部５４ａを含む操作力点部５４に、指などによって小さい力が加えられて、レバー５０が係止解除回転方向（Ｒｓ方向）に沿って回動させられることにより、レバー５０に連係されたアクチュエータ主体部材６０が、ハウジング４０の係止部４７に向けて押動され、光トランシーバモジュール１００の係止部４７に係り合わせられた相手側係合部２０７の係止解除が行われる。従って、光トランシーバモジュール１００を相手側の光トランシーバソケット２００から容易に係止解除させることができる。
【０１２７】
図７に示すように、レバー５０は、レバー５０を回動操作可能な操作力点部５４と、レバー５０の回動中心軸とされる回動支点部５５と、アクチュエータ主体部材６０を駆動させる駆動力作用部５２とを備えている。操作力点部５４と駆動力作用部５２との間に回動支点部５５が形成されると共に、駆動力作用部５２の近傍に回動支点部５５が位置する。
【０１２８】
これにより、レバー５０の基板部５３に備えられた操作力点部５４の窪み状部５４ａに軽い力が加えられてレバー５０が回動させられたときに、レバー５０に連係するアクチュエータ主体部材６０は、係止部４７に対して近づけられる方向（Ｓ方向）または遠ざけられる方向（Ｔ方向）に沿って容易に移動させられる。レバー５０において、操作力点部５４と駆動力作用部５２との間に形成された回動支点部５５は、駆動力作用部５２の近傍に位置するので、レバー５０の基板部５３に備えられた操作力点部５４の窪み状部５４ａに小さい力が加えられると、梃子の原理により、レバー５０の駆動力作用部５２に大きい力が生じる。レバー５０を構成する基板部５３の操作力点部５４の窪み状部５４ａに小さい力が加えられて、レバー５０が係止解除回転方向（Ｒｓ方向）に沿って回動させられたときに、レバー５０の駆動力作用部５２に大きい力が発生する。この大きい力により、レバー５０に連係されたアクチュエータ主体部材６０が押動され、アクチュエータ主体部材６０がハウジング４０の係止部４７に近づけられて、光トランシーバモジュール１００の係止部４７に係り合わせられた相手側係合部２０７の係止解除が確実に行われる。従って、相手側の光トランシーバソケット２００から光トランシーバモジュール１００を容易かつ確実に取り外すことができる。
【０１２９】
レバー５０（図１，図２，図７）は、基板部５３と、基板部５３に対し略直交する方向に沿って基板部５３に延設された一対の側板部５１，５１とを備え、正面視略逆凹状に折曲げ形成されている。レバー５０（図８〜図１２）の基板部５３が操作されて、略水平方向に延設された略矩形箱状のハウジング４０に対し、正面視略逆凹状のレバー５０が回動させられて、レバー５０の基板部５３が略垂直状態のときに（図１１，図１２）、アクチュエータ主体部材６０は、ハウジング４０の係止部４７に最も近づけられる。また、レバー５０（図８〜図１２）の基板部５３が操作されて、略水平方向に延設された略矩形箱状のハウジング４０に対し、正面視略逆凹状のレバー５０が回動させられて、レバー５０の基板部５３が略水平状態のときに（図８，図９）、アクチュエータ主体部材６０は、ハウジング４０の係止部４７から最も遠ざけられる。
【０１３０】
これにより、光トランシーバモジュール１００のレバー５０の回動操作は容易に行われる。光トランシーバモジュール１００のレバー５０の回動操作が容易に行われるので、レバー５０に連係したアクチュエータ主体部材６０は、容易に係止部４７に近づけられたり遠ざけられたりされる。光トランシーバモジュール１００の係止部４７に係り合わせられた相手側係合部２０７を光トランシーバモジュール１００の係止部４７から外すときに、レバー５０の基板部５３が操作されることにより、レバー５０が回動されてアクチュエータ主体部材６０が動かされ、アクチュエータ主体部材６０により、光トランシーバモジュール１００の係止部４７に係り合わせられた相手側係合部２０７は、光トランシーバモジュール１００の係止部４７から容易に外される。従って、相手側の光トランシーバソケット２００から光トランシーバモジュール１００を容易に取り外すことができる。
【０１３１】
正面視略逆凹状の長尺折曲げ板状レバー５０が略垂直状態（図８）から略水平状態（図１２）に回動させられたときに、レバー５０の駆動力作用部５２の係止解除用押圧部５２ａが、ハウジング４０の側面部４２ａ，４２ｂの第一回動停止部４２ｃに接することにより、レバー５０の回動が停止する（図１１，図１２，図１５）。また、正面視略逆凹状の長尺折曲げ板状レバー５０が略水平状態（図１２）から略垂直状態（図８）に回動させられたときに、レバー５０の側板部５１の後側端面部５６が、ハウジング４０の側面部４２ａ，４２ｂの第二回動停止部４２ｄに接することにより、レバー５０の回動が停止する（図８，図９，図１３）。
【０１３２】
光信号が通される光ケーブルのコネクタ部が挿着可能なコネクタソケット部４０ａ，４０ｂ（図１，図２，図７）が、ハウジング４０に開設されている。アクチュエータ主体部材６０が係止部４７に近づけられたときに（図１１）、各コネクタソケット部４０ａ，４０ｂの開口部４０ｅは、アクチュエータ主体部材６０の水平移動に連係して回動されたレバー５０の略基板状操作力点部５４により遮られ、光ケーブルのコネクタ部は、光トランシーバモジュール１００の各コネクタソケット部４０ａ，４０ｂに挿入不能とされている。
【０１３３】
これにより、光トランシーバモジュール１００が相手側の光トランシーバソケット２００に取り付けられるときに、相手側の光トランシーバソケット２００に対する光トランシーバモジュール１００の取付不良の発生は抑えられる。光トランシーバモジュール１００のアクチュエータ主体部材６０がハウジング４０の係止部４７に近づけられた状態で、光トランシーバモジュール１００が相手側の光トランシーバソケット２００に取り付けられようとされた場合、アクチュエータ主体部材６０の係止解除部６７が相手側係合部２０７に接し、これが原因で係止解除が行われようとされ、その結果、相手側係合部２０７に光トランシーバモジュール１００の係止部４７が確実に係り合わせられていない取付不良の状態で、光トランシーバモジュール１００が相手側の光トランシーバソケット２００に取り付けられることが懸念される。相手側の光トランシーバソケット２００に光トランシーバモジュール１００が取り付けられるときに、各コネクタソケット部４０ａ，４０ｂの開口部４０ｅがレバー５０の略基板状操作力点部５４によって遮られた状態のときには、光トランシーバモジュール１００に取付不良が生じていることが一目で判別できる。各コネクタソケット部４０ａ，４０ｂの開口部４０ｅがレバー５０の略基板状操作力点部５４によって遮られた状態では、各コネクタソケット部４０ａ，４０ｂの開口部４０ｅに、光信号が通される光ケーブルのコネクタ部を挿着させることができない。これに気が付いた作業者は、相手側の光トランシーバソケット２００に確実に光トランシーバモジュール１００を装着させようとする。従って、相手側の光トランシーバソケット２００に光トランシーバモジュール１００を確実に装着させることができる。相手側の光トランシーバソケット２００に光トランシーバモジュール１００が確実に係止された状態で装着されていれば、各コネクタソケット部４０ａ，４０ｂの開口部４０ｅは、レバー５０の略基板状操作力点部５４によって遮られることはない。相手側の光トランシーバソケット２００に光トランシーバモジュール１００が確実に係止された状態で取り付けられていれば、各コネクタソケット部４０ａ，４０ｂの開口部４０ｅに、光ケーブルのコネクタ部を挿着させることができる。
【０１３４】
図１，図２，図６，図７に示すように、光トランシーバモジュール１００を構成するハウジング４０のケーブル接続部４０ｃは、略矩形箱状に形成されている。また、ハウジング４０のケーブル接続部４０ｃを構成する各コネクタソケット部４０ａ，４０ｂも、略矩形箱状に形成されている。略矩形箱状のハウジング４０のケーブル接続部４０ｃに対応して、レバー５０は、基板部５３と、基板部５３に対し略直交する方向に沿って基板部５３に延設された一対の側板部５１，５１とを備える正面視略逆凹状に形成されている。アクチュエータ主体部材６０（図８〜図１６）がハウジング４０の係止部４７に近づけられたときに、正面視略逆凹状のレバー５０は、一対の側板部５１，５１の回動支点部５５を中心として回動させられて、光トランシーバモジュール１００（図１１，図１２）の各コネクタソケット部４０ａ，４０ｂの略矩形状をした開口部４０ｅは、レバー５０の基板部５３により遮られて、光ケーブルのコネクタ部は、光トランシーバモジュール１００のコネクタソケット部４０ａ，４０ｂに挿入不能とされている。
【０１３５】
これにより、相手側の光トランシーバソケット２００に対する光トランシーバモジュール１００の取付不良の発生は、確実に抑えられる。光トランシーバモジュール１００のアクチュエータ主体部材６０がハウジング４０の係止部４７に近づけられた状態で、光トランシーバモジュール１００が相手側の光トランシーバソケット２００に取り付けられようとされた場合、正面視略逆凹状のレバー５０は、一対の側板部５１，５１の回動支点部５５を中心として回動され、略矩形箱状のハウジング４０に開設された各コネクタソケット部４０ａ，４０ｂの略矩形状をした開口部４０ｅは、レバー５０の基板部５３により遮られる。従って、相手側の光トランシーバソケット２００に対する光トランシーバモジュール１００の係止が確実に行われずに、取付不良が生じていることを、一目で確実に判別することができる。相手側の光トランシーバソケット２００に対する光トランシーバモジュール１００の取付不良が確実に判別されることにより、光トランシーバモジュール１００の取付不良の発生は、確実に抑えられる。従って、相手側の光トランシーバソケット２００に光トランシーバモジュール１００を確実に装着させることができる。
【０１３６】
レバー５０（図７）は、ハウジング４０における互いに対向する第１の側面部４２ａ及び第２の側面部４２ｂにおいてハウジング４０に対して回動可能に係止されると共に、ハウジング４０（図１）の第１の側面部４２ａ、上面部４３ａ、第２の側面部４２ｂに跨って設けられている。また、アクチュエータ主体部材６０は、レバー５０の一部と係合するようにハウジング４０の下面部４３ｂに対して摺動可能に装着されている（図２，図７）。
【０１３７】
これにより、光トランシーバモジュール１００は、相手側の光トランシーバソケット２００から容易かつ確実に取り外される。光トランシーバモジュール１００を相手側の光トランシーバソケット２００から取り外す際には、ハウジング４０の上面部４３ａ側から下面部４３ｂ側へ向けてレバー５０を回動させることによって、レバー５０の動きに伴って、アクチュエータ主体部材６０を係止部４７に近づけるように移動させることができる。このアクチュエータ主体部材６０の移動によって、光トランシーバモジュール１００のハウジング４０の係止部４７と、相手側の光トランシーバソケット２００の係合部２０７との係り合いが開放されて、相手側の光トランシーバソケット２００から光トランシーバモジュール１００を容易かつ確実に取り外すことができる。
【０１３８】
光トランシーバソケット２００（図６）は、電気信号を光信号に変換して出力する送信部材７２（図３，図４）と、入力された光信号を電気信号に変換して出力する受信部材７０と、送信部材７２と受信部材７０とを収納するハウジング４０とを有する光トランシーバモジュール１００（図１，図２，図６〜図１２）が装着可能な光トランシーバソケット２００として形成されている（図６）。この光トランシーバソケット２００は、光トランシーバモジュール１００（図２，図８〜図１２）に設けられた係止部４７と係合可能な係合部２０７を備えている（図６，図１３〜図１６）。光トランシーバソケット２００の係合部２０７は、ソケット本体２０１に設けられた可撓性の舌片部２１０に設けられている。
【０１３９】
これにより、光トランシーバソケット２００に光トランシーバモジュール１００を挿入する際には、光トランシーバモジュール１００の係止部４７が光トランシーバソケット２００の係合部２０７と確実に係り合わせられる。従って、光トランシーバモジュール１００の挿入が不十分なことによって生ずる光トランシーバモジュール１００の装着不良を回避させることができる。また、光トランシーバモジュール１００を光トランシーバソケット２００から取り外す際には、レバー５０の回動操作に伴うアクチュエータ主体部材６０の移動によって、光トランシーバモジュール１００の係止部４７と、光トランシーバソケット２００の係合部２０７との係り合いを開放させて、光トランシーバソケット２００から光トランシーバモジュール１００を容易かつ確実に取り外すことができる。
【０１４０】
光トランシーバソケット２００（図６，図１３〜図１６）の下面部２０２ａに設けられた舌片部２１０の略中央部２１０ａに、光トランシーバソケット２００の開口部２０３側から端部２０６（図６）側に向けて幅が狭くなるように形成された略三角形状の係合孔部２０８（図６，図１３〜図１６）が設けられている。光トランシーバソケット２００は、舌片部２１０の係合孔部２０８が外部基板３００（図６，図１３〜図１６）に重ならないように外部基板３００に取り付けられている。
【０１４１】
また、光トランシーバモジュール１００（図２，図８）のハウジング４０に設けられた係止部４７は、ハウジング４０（図７）を構成する基壁部４３ｂに対しハウジング４０の外側に向けて斜めに形成され、光トランシーバソケット２００（図１３〜図１６）の係合部２０７を構成する舌片部２１０の係合孔部２０８の係合面部２０８ａが乗り上げながら摺接すると共に、舌片部２１０を光トランシーバソケット２００の外側に向けて撓ませる傾斜摺接面部４７ｃ（図１３，図１４）を備えている。また、この係止部４７は、光トランシーバモジュール１００（図２，図７）のハウジング４０を構成する基壁部４３ｂに略平行に形成されると共に、光トランシーバソケット２００（図１３〜図１６）の舌片部２１０に設けられた係合孔部２０８の係合面部２０８ａが乗り越えながら摺接する摺接面部４７ｂ（図１３，図１４）を備えている。また、この係止部４７は、ハウジング４０（図７）を構成する基壁部４３ｂに対し略直交する上下方向に沿って形成されると共に、光トランシーバソケット２００（図１３〜図１６）の係合部２０７を構成する係合孔部２０８の係合面部２０８ａと合わせられる係止面部４７ａ（図１５，図１６）を備えている。このように、光トランシーバモジュール１００（図８）のハウジング４０に設けられた係止部４７は、傾斜摺接面部４７ｃと、傾斜摺接面部４７ｃに続く摺接面部４７ｂと、摺接面部４７ｂに続く係止面部４７ａとの少なくとも３つの面部４７ａ，４７ｂ，４７ｃを備えている。
【０１４２】
光トランシーバソケット２００（図６）に光トランシーバモジュール１００を挿着させる際には、ハウジング４０（図２）の下面部４３ｂから突出した係止部４７が、相手側係合部２０７（図１３）に穿設された係合孔部２０８と係り合うまで、光トランシーバモジュール１００を光トランシーバソケット２００に挿入する。ハウジング４０（図２，図１５，図１６）の係止部４７の係止面部４７ａが、相手側係合部２０７（図１３〜図１６）の係合孔部２０８の係合面部２０８ａに合わせられることにより、光トランシーバモジュール１００のハウジング４０の係止部４７と、光トランシーバソケット２００の舌片部２１０の係合部２０７との係り合いが確実に行われる（図１３）。これによって、光トランシーバモジュール１００の挿入が不十分なことによって生ずる光トランシーバモジュール１００と光トランシーバソケット２００（図６）または外部基板３００との電気的な接続の不良等を回避させることができる。
【０１４３】
係合孔部２０８を備えた舌片部２１０を光トランシーバソケット２００に設ける際に、光トランシーバソケット２００の下面部２０２ａに一対の切れ込み部２１２，２１２を設け、可撓性を有する舌片部２１０を形成すると共に、舌片部２１０に係合孔部２０８を形成する。このとき、舌片部２１０の縁端部２０９に、開口部２０３の外側に向けた曲げ加工を略同時に行うとよい。これによって、係止部４７が光トランシーバソケット２００の縁端部２０９に引っ掛かることなく、光トランシーバモジュール１００を光トランシーバソケット２００に容易かつ確実に挿入して装着させることができる。また、光トランシーバモジュール１００は、係止部４７が相手側係合部２０７の係合孔部２０８に係り合わせられて光トランシーバソケット２００に装着されているので、外部からの不用意な力等によって、光トランシーバソケット２００から光トランシーバモジュール１００が容易に外されてしまうことを回避させることができる。
【０１４４】
図６に示すように、光トランシーバソケット２００の舌片部２１０は、ソケット本体２０１の周壁２０２を構成する基壁２０２ａに略沿って基壁２０２ａに形成されると共に、光トランシーバソケット２００に対する光トランシーバモジュール１００の挿入方向（Ｐ方向）に対し略反対方向（Ｑ方向）に沿って延ばされてソケット本体２０１に設けられている。
【０１４５】
これにより、光トランシーバソケット２００に光トランシーバモジュール１００は、確実に取り付けられると共に、光トランシーバソケット２００から光トランシーバモジュール１００は、容易に取り外される。
【０１４６】
例えば、光ファイバの末端に取り付けられたコネクタが光トランシーバモジュール１００から抜き出されたのちに、光トランシーバソケット２００から光トランシーバモジュール１００が抜き出される。光トランシーバモジュール１００（図１３〜図１６）を光トランシーバソケット２００から取り外す際には、ハウジング４０（図１）の接続部４０ｃの上面部４３ａ側から下面部４３ｂ（図２）側に向けたＲｓ方向にレバー５０を引き倒す（図８〜図１２）。レバー５０の動きに従って、レバー５０の突出部５２の係止解除用押圧部５２ａ（図８，図１２）が、アクチュエータ主体部材６０の駆動力伝達部６８の係止解除用押圧壁６８ａを押し、アクチュエータ主体部材６０が、光トランシーバモジュール１００の長手方向の前側から後側に沿った方向（Ｓ方向）にスライドする（図９〜図１１）。
【０１４７】
これによって、図１４に示すように、アクチュエータ主体部材６０の後面部６５側に突出する係止解除部６７の突出部６６の斜面部６６ａが、光トランシーバソケット２００の舌片部２１０の縁端部２０９を開口部２０３の外側に向けて持ち上げる。このときに、光トランシーバモジュール１００を光トランシーバソケット２００に挿入させる方向（Ｓ方向）とは反対の方向（Ｔ方向）に押し出すような力が、光トランシーバモジュール１００に加えられるとよい。さらに、レバー５０をＲｓ方向に倒すと、図１５に示すように、光トランシーバソケット２００の舌片部２１０の縁端部２０９がさらに持ち上げられ、係止部４７が係合部２０７の係合孔部２０８から外され、光トランシーバモジュール１００が光トランシーバソケット２００から抜去可能となる。一旦、係止部４７が係合部２０７の係合孔部２０８から外されると、その後は図１６に示すように、レバー５０がハウジング４０の上面部４３ａ側に戻された状態で、光トランシーバソケット２００から光トランシーバモジュール１００を引き抜こうとした場合でも、光トランシーバモジュール１００を光トランシーバソケット２００から容易かつ確実に取り外すことができる。
【０１４８】
図６，図１３〜１６に示すように、光トランシーバソケット２００に設けられた舌片部２１０の先端部２０９は、ソケット本体２０１の周壁２０２の外側に向けて屈曲されている。
【０１４９】
これにより、光トランシーバモジュール１００は、相手側の光トランシーバソケット２００から容易かつ確実に取り外される。光トランシーバモジュール１００を光トランシーバソケット２００から取り外す際に、舌片部２１０の先端部２０９をソケット本体２０１の周壁２０２の外側に向けて例えば持ち上げるように動かす力を作用させることができる。これによって、光トランシーバモジュール１００を光トランシーバソケット２００から容易かつ確実に取り外すことができる。
【０１５０】
光トランシーバソケット２００の舌片部２１０の縁端部２０９が、開口部２０３の外側に向けて緩やかに曲げられており、かつ、光トランシーバモジュール１００のアクチュエータ主体部材６０の後面部６５に突設された係止解除部６７の突出部６６に、斜面部６６ａが形成されていることによって、アクチュエータ主体部材６０をスライドさせる際に、舌片部２１０の縁端部２０９に、開口部２０３の外側に向けて持ち上げられる力を作用させることが可能となる。また、このときに、略同時に光トランシーバモジュール１００を光トランシーバソケット２００から引き抜く方向（Ｔ方向）に、光トランシーバモジュール１００に力を作用させるものがよい。これによって、光トランシーバモジュール１００を光トランシーバソケット２００から容易かつ確実に取り外すことができる。
【０１５１】
また、帯電防止部材３０（図５）の周壁３５に、光トランシーバソケット２００（図６）に対する光トランシーバモジュール１００の挿入方向（Ｐ方向）と反対方向（Ｑ方向）に各舌片３１，３２，３３，３４（図５）が延設されているので、光トランシーバソケット２００に光トランシーバモジュール１００を挿着する際に、光トランシーバソケット２００の開口部２０３の縁端部２０４に舌片３１，３２，３３，３４の縁３１ａ，３２ａ，３３ａ，３４ａが引っ掛かって挿着の妨げになることがない。従って、光トランシーバモジュール１００を光トランシーバソケット２００に容易かつ確実に挿着させることができる。
【０１５２】
また、受信部材７０（図３，図４）、送信部材７２及び回路基板８０などの主要部材がハウジング４０内に格納され、かつ、ハウジング４０に帯電防止部材３０（図１，図２，図６〜図１２）が装着されることによって、光トランシーバモジュール１００に静電気が帯電されていたり、光トランシーバモジュール１００に接続される光ファイバ等の部材に静電気が帯電されていたりすることがあった場合でも、静電気は、帯電防止部材３０を介して光トランシーバソケット２００（図６）に速やかに逃がされる。
【０１５３】
光トランシーバモジュール１００を光トランシーバソケット２００に挿入したときに、基端部３１ｂ（図５）から帯電防止部材３０の外周方向へ曲げられている舌片３１が撓むことによって、帯電防止部材３０に設けられた舌片３１の先端部３１ａが、光トランシーバソケット２００（図６）の内周面部２０５ａに適切な圧力で接触する。また、基端部３２ｂ，３３ｂ，３４ｂ（図５）から帯電防止部材３０の外周方向へ曲げられている舌片３２，３３，３４が撓むことによって、帯電防止部材３０に設けられた舌片３２，３３，３４の先端部３２ａ，３３ａ，３４ａも、光トランシーバソケット２００（図６）の開口部２０３の縁端部２０４における内周面部２０５ａに適切な圧力で接触する。このように、帯電防止部材３０（図５）の周壁３５に複数の舌片３１，３２，３３，３４が設けられているので、光トランシーバモジュール１００（図６）と光トランシーバソケット２００との接触面積が増え、静電気を確実に逃がすことができる。
【０１５４】
上記光トランシーバソケット２００（図６）は、上記光トランシーバモジュール１００（図１，図２，図８〜図１２）が装着可能な光トランシーバソケット２００として形成されている（図１３〜図１６）。
【０１５５】
これにより、確実に光トランシーバモジュール１００の取付けが行われ、容易に光トランシーバモジュール１００の取外しが行われる光トランシーバソケット２００が提供される。光トランシーバソケット２００に対する光トランシーバモジュール１００の取付構造が改善され、優れた光トランシーバソケット２００に対する光トランシーバモジュール１００の取付構造が提供可能となる。
【０１５６】
本発明に係る光トランシーバモジュール１００及び光トランシーバソケット２００の構成は、本実施の形態で示されたものに限定されるものではない。本発明は、その要旨を逸脱しない範囲において変更可能である。
【図面の簡単な説明】
【０１５７】
【図１】本発明の実施の形態における光トランシーバモジュールを上面側から眺めた外観斜視図である。
【図２】本発明の実施の形態における光トランシーバモジュールを下面側から眺めた外観斜視図である。
【図３】本発明の実施の形態における光トランシーバモジュールの内部構造を示す分解斜視図である。
【図４】本発明の実施の形態における光トランシーバモジュールの内部構造を示す分解斜視図である。
【図５】本発明の実施の形態における光トランシーバモジュールの帯電防止部材の構成を示す斜視図である。
【図６】本発明の実施の形態における光トランシーバモジュールと光トランシーバソケットとの装着の様子を説明する斜視図である。
【図７】本発明の実施の形態における光トランシーバモジュールの接続部分の構成を示す分解斜視図である。
【図８】本発明の実施の形態における光トランシーバモジュールの構成を示す側面図である。
【図９】本発明の実施の形態における光トランシーバモジュールの構成を示す側面図である。
【図１０】本発明の実施の形態における光トランシーバモジュールの動作を示す側面図である。
【図１１】本発明の実施の形態における光トランシーバモジュールの動作を示す側面図である。
【図１２】本発明の実施の形態における光トランシーバモジュールの動作を示す側面図である。
【図１３】本発明の実施の形態における光トランシーバモジュールの作用を説明する斜視図である。
【図１４】本発明の実施の形態における光トランシーバモジュールの作用を説明する斜視図である。
【図１５】本発明の実施の形態における光トランシーバモジュールの作用を説明する斜視図である。
【図１６】本発明の実施の形態における光トランシーバモジュールの作用を説明する斜視図である。
【符号の説明】
【０１５８】
１０  カバー、１１  上面部、１２  側面部、１３  係止部、２０  カバー、２１  下面部、２２  側面部、２３  係合部、３０  帯電防止部材、３１，３２，３３，３４  舌片、３１ａ，３２ａ，３３ａ，３４ａ  縁（先端部）、３１ｂ，３２ｂ，３３ｂ，３４ｂ  基端部、３５  周壁、３５ａ  一面部、３５ｂ  縁端部、３６  係止部、４０  ハウジング、４０ａ，４０ｂ  コネクタソケット部、４０ｃ  接続部、４０ｄ  境界部、４０ｅ  開口部、４０ｆ  外周面部（外面部）、４１  本体部、４１ａ  隔壁、４１ｂ  挿通孔、４１ｃ  収納部、４１ｄ  支持部、４１ｅ，４１ｆ  突出部、４１ｇ  端部、４２ａ，４２ｂ  側面部、４２ｃ，４２ｄ  回動停止部、４３ａ  上面部、４３ｂ  下面部（基壁部）、４３ｃ  縁端部、４３ｄ  中央部、４４  突出部、４４ａ  ガイド部、４４ｂ  レール部、４５  係止部（支点部）、４６  受入部、４６ａ  奥端部、４７  係止部、４７ａ  係止面部（面部）、４７ｂ  摺接面部（面部）、４７ｃ  傾斜摺接面部（面部）、４８  ガード部、４８ａ  係止解除防止面部、４９  摺動部、５０  レバー、５１  側板部、５１ａ  端部、５２  突出部（駆動力作用部）、５２ａ  係止解除用押圧部、５２ｂ  定位置復帰用押圧部、５２ｃ  曲面部、５３  基板部、５４  操作力点部、５４ａ  窪み状部、５５  係合部（回動支点部）、５６  端面部、５７  回動防止部、６０  アクチュエータ主体部材、６０ａ  押圧面部、６０ｂ  治工具操作部、６１ａ  摺動部、６１ｂ  下面部、６２  切欠部、６３  側部、６３ａ  中央部、６４  突出部、６５  後面部、６５ａ  中央部、６６  突出部、６６ａ  斜面部、６６ｂ  切欠部（干渉回避部）、６６ｃ  中央部、６７  係止解除部、６７ａ  先端部、６８  駆動力伝達部、６８ａ  係止解除用押圧壁、６８ｂ  定位置復帰用押圧壁、６９  摺動部、７０  受信部材、７０ａ  受信部材本体、７０ｂ  円筒状突出部、７０ｃ  端子、７２  送信部材、７２ａ  送信部材本体、７２ｂ  円筒状突出部、７２ｃ  端子、８０  回路基板、８０ａ  基板本体、８０ｂ  挿通孔、８０ｃ  挿通孔、８０ｄ  固定用孔、８０ｅ  貫通孔、８０ｆ  カードエッジコネクタ部、９０  止め具、９０ａ  本体部、１００  光トランシーバモジュール、１０１  光トランシーバモジュール本体、２００  光トランシーバソケット、２０１  ソケット本体、２０２  周壁、２０２ａ  下面部（基壁）、２０３  開口部、２０４  縁端部、２０５  内部、２０５ａ  内周面部、２０６  端部、２０７  係合部、２０８  係合孔部、２０８ａ  係合面部、２０９  縁端部（先端部）、２１０  舌片部、２１０ａ  中央部、２１２  切れ込み部、３００  外部基板、Ｃ１  間隔、Ｇ１，Ｇ２，Ｇ３，Ｇ４  隙間、Ｋ１  厚み、Ｌ１，Ｌ２  距離、Ｍ１  幅、Ｍ２  対角線の長さ（対角長さ）、Ｎ１  幅。
【図１】
2008090148.tif 000003
【図２】
2008090148.tif 000004
【図３】
2008090148.tif 000005
【図４】
2008090148.tif 000006
【図５】
2008090148.tif 000007
【図６】
2008090148.tif 000008
【図７】
2008090148.tif 000009
【図８】
2008090148.tif 000010
【図９】
2008090148.tif 000011
【図１０】
2008090148.tif 000012
【図１１】
2008090148.tif 000013
【図１２】
2008090148.tif 000014
【図１３】
2008090148.tif 000015
【図１４】
2008090148.tif 000016
【図１５】
2008090148.tif 000017
【図１６】
2008090148.tif 000018